(57)【特許請求の範囲】
【請求項１】
ワイヤレス通信の方法であって、
第1のメッセージを送信するステップであって、前記第1のメッセージは複数のワイヤレスデバイスにアドレス指定され、前記第1のメッセージは第1の継続時間以内に応答するための前記複数のワイヤレスデバイスへの指示を含み、前記第1のメッセージは、前記第1の継続時間中に共有周波数スペクトル帯域のうちの部分帯域へのアクセスに対して競合するのを控えるように、前記第1のメッセージによってアドレス指定されないアドレス指定されていないワイヤレスデバイスに指示する、ステップと、
前記第1のメッセージに応答して前記第1の継続時間中に前記複数のワイヤレスデバイスのうちの少なくとも1つのワイヤレスデバイスから第2のメッセージを受信するステップであって、前記第2のメッセージは、第2の継続時間中に前記共有周波数スペクトル帯域のうちの前記部分帯域へのアクセスに対して競合するのを控えるように、前記アドレス指定されていないワイヤレスデバイスまたは他のワイヤレスデバイスに指示する、ステップと、
前記第1の継続時間または前記第2の継続時間以内に前記共有周波数スペクトル帯域のうちの前記部分帯域上で前記少なくとも1つのワイヤレスデバイスからアップリンクデータを受信するステップと
を含む、方法。
【請求項２】
前記第1の継続時間または前記第2の継続時間中に前記少なくとも1つのワイヤレスデバイスにトリガフレームを送信するステップであって、前記トリガフレームは、前記共有周波数スペクトル帯域のうちの前記部分帯域上で前記アップリンクデータを送信するように前記少なくとも1つのワイヤレスデバイスに指示する、ステップをさらに含む、請求項1に記載の方法。
【請求項３】
前記少なくとも1つのワイヤレスデバイスからの前記第2のメッセージの受信に少なくとも部分的に基づいて、前記少なくとも1つのワイヤレスデバイスにアップリンクリソースを割り振るステップをさらに含む、請求項1に記載の方法。
【請求項４】
前記第1のメッセージを前記送信するステップは、前記共有周波数スペクトル帯域のうちの前記部分帯域上でスクランブラシードインデックスを送信するステップを含む、請求項1に記載の方法。
【請求項５】
前記第2のメッセージを前記受信するステップは、前記スクランブラシードインデックスに少なくとも部分的に基づいて、前記少なくとも1つのワイヤレスデバイスと関連付けられた事前に割り当てられたスクランブラシードを受信するステップを含み、前記方法が、前記受信され事前に割り当てられたスクランブラシードに少なくとも部分的に基づいて前記少なくとも1つのワイヤレスデバイスを識別するステップをさらに含む、請求項4に記載の方法。
【請求項６】
前記第1のメッセージを前記送信するステップは、前記共有周波数スペクトル帯域のうちの前記部分帯域上でアップリンクリソースユニットインデックスを送信するステップを含む、請求項1に記載の方法。
【請求項７】
前記第2のメッセージは、前記アップリンクリソースユニットインデックスに少なくとも部分的に基づく周波数分割多重化メッセージであり、前記方法が、前記少なくとも1つのワイヤレスデバイスと関連付けられたアップリンクリソースの監視に少なくとも部分的に基づいて前記少なくとも1つのワイヤレスデバイスを識別するステップをさらに含む、請求項6に記載の方法。
【請求項８】
前記第1のメッセージを前記送信するステップは、前記共有周波数スペクトル帯域のうちの第1の部分帯域を介してアップリンクチャネルインデックスを送信するステップを含み、
前記第2のメッセージを前記受信するステップは、前記アップリンクチャネルインデックスに少なくとも部分的に基づいて前記共有周波数スペクトル帯域のうちの第2の部分帯域上で前記第2のメッセージを受信するステップを含み、前記方法が、前記共有周波数スペクトル帯域のうちの前記第2の部分帯域の監視に少なくとも部分的に基づいて前記少なくとも1つのワイヤレスデバイスを識別するステップをさらに含む、
請求項1に記載の方法。
【請求項９】
前記第1のメッセージまたは前記第2のメッセージの一方または両方が、前記第1の継続時間または前記第2の継続時間をそれぞれ示す物理層(PHY)継続時間フィールドを含む、請求項1に記載の方法。
【請求項１０】
前記第1のメッセージまたは前記第2のメッセージの一方または両方が、前記第1の継続時間または前記第2の継続時間をそれぞれ示すネットワーク割振りベクトル(NAV)を特定する媒体アクセス制御(MAC)フレームを含む、請求項1に記載の方法。
【請求項１１】
前記第1のメッセージは前記複数のワイヤレスデバイスにアドレス指定され、前記トリガフレームは、それぞれ第2のメッセージが受信された前記複数のワイヤレスデバイスのうちの識別されたサブセットにアドレス指定される、請求項2に記載の方法。
【請求項１２】
前記ワイヤレスデバイスの識別されたサブセットにマルチユーザ(MU)アップリンク送信についてのアップリンクリソースを割り振るステップをさらに含む、請求項11に記載の方法。
【請求項１３】
前記第1のメッセージがトリガフレームを含み、前記トリガフレームが媒体アクセス制御(MAC)トリガフレームまたは物理層(PHY)トリガフレームを含む、請求項1に記載の方法。
【請求項１４】
前記MACトリガフレームは、前記第1の継続時間を示すネットワーク割振りベクトル(NAV)フィールドを含む、請求項13に記載の方法。
【請求項１５】
前記PHYトリガフレームは、前記第1の継続時間を示す高効率信号フィールド(HE-SIG)または複製レガシー信号フィールド(L-SIG)を含む送信機会(TXOP)フィールドを含む、請求項13に記載の方法。
【請求項１６】
前記第1のメッセージがマルチユーザ(MU)送信要求(RTS)フレームを含み、前記少なくとも1つの受信されたそれぞれの第2のメッセージが送信可(CTS)フレームを含む、請求項1に記載の方法。
【請求項１７】
ワイヤレス通信の方法であって、
第2のワイヤレスデバイスから第1のワイヤレスデバイスによって、1つまたは複数のワイヤレスデバイスにアドレス指定された第1のメッセージを受信するステップであって、前記1つまたは複数のワイヤレスデバイスが前記第1のワイヤレスデバイスを含み、前記第1のメッセージが第1の継続時間以内に応答するための前記1つまたは複数のワイヤレスデバイスへの指示を含み、前記第1のメッセージは、前記第1の継続時間中に共有周波数スペクトル帯域のうちの部分帯域へのアクセスに対して競合するのを控えるように、前記第1のメッセージによってアドレス指定されないアドレス指定されていないワイヤレスデバイスに指示する、ステップと、
前記第1のメッセージに応答して前記第1の継続時間中に第2のメッセージを送信するステップであって、前記第2のメッセージは、第2の継続時間中に前記共有周波数スペクトル帯域のうちの前記部分帯域へのアクセスに対して競合するのを控えるように、前記アドレス指定されていないワイヤレスデバイスまたは他のワイヤレスデバイスに指示する、ステップと、
前記第1の継続時間または前記第2の継続時間以内に前記共有周波数スペクトル帯域のうちの前記部分帯域上で前記第2のワイヤレスデバイスにアップリンクデータを送信するステップと
を含む、方法。
【請求項１８】
前記第1の継続時間または前記第2の継続時間中に前記第2のワイヤレスデバイスからトリガフレームを受信するステップであって、前記トリガフレームが、前記共有周波数スペクトル帯域のうちの前記部分帯域上でアップリンクデータを送信するように前記第1のワイヤレスデバイスに指示する、ステップをさらに含む、請求項17に記載の方法。
【請求項１９】
前記第2のワイヤレスデバイスへの前記第2のメッセージの送信に少なくとも部分的に基づいて前記第2のワイヤレスデバイスからアップリンクリソース割振りを受信するステップをさらに含む、請求項17に記載の方法。
【請求項２０】
前記第1のメッセージを前記受信するステップは、前記共有周波数スペクトル帯域のうちの前記部分帯域上でスクランブラシードインデックスを受信するステップを含む、請求項17に記載の方法。
【請求項２１】
前記第2のメッセージを前記送信するステップは、前記スクランブラシードインデックスに少なくとも部分的に基づいて前記共有周波数スペクトル帯域のうちの前記部分帯域上で前記第1のワイヤレスデバイスと関連付けられた事前に割り当てられたスクランブラシードを送信するステップを含む、請求項20に記載の方法。
【請求項２２】
前記第1のメッセージを前記受信するステップは、前記共有周波数スペクトル帯域のうちの前記部分帯域上でアップリンクリソースユニットインデックスを受信するステップを含む、請求項17に記載の方法。
【請求項２３】
前記第1のメッセージまたは前記第2のメッセージの一方または両方が、前記第1の継続時間または前記第2の継続時間をそれぞれ示す物理層(PHY)継続時間フィールドを含む、請求項17に記載の方法。
【請求項２４】
前記第1のメッセージまたは前記第2のメッセージの一方または両方が、前記第1の継続時間または前記第2の継続時間をそれぞれ示すネットワーク割振りベクトル(NAV)を特定する媒体アクセス制御(MAC)フレームを含む、請求項17に記載の方法。
【請求項２５】
ワイヤレス通信のための装置であって、
第1のメッセージを送信するための送信機であって、前記第1のメッセージは複数のワイヤレスデバイスにアドレス指定され、前記第1のメッセージは第1の継続時間以内に応答するための前記複数のワイヤレスデバイスへの指示を含み、前記第1のメッセージは、前記第1の継続時間中に共有周波数スペクトル帯域のうちの部分帯域へのアクセスに対して競合するのを控えるように、前記第1のメッセージによってアドレス指定されないアドレス指定されていないワイヤレスデバイスに指示する、送信機と、
前記第1のメッセージに応答して前記第1の継続時間中に前記複数のワイヤレスデバイスのうちの少なくとも1つのワイヤレスデバイスから第2のメッセージを受信するためのチャネルモニタであって、前記第2のメッセージは、第2の継続時間中に前記共有周波数スペクトル帯域のうちの前記部分帯域へのアクセスに対して競合するのを控えるように、前記アドレス指定されていないワイヤレスデバイスまたは他のワイヤレスデバイスに指示する、チャネルモニタと、
前記第1の継続時間または前記第2の継続時間以内に前記共有周波数スペクトル帯域のうちの前記部分帯域上で前記少なくとも1つのワイヤレスデバイスからアップリンクデータを受信するための受信機と
を備える、装置。
【請求項２６】
前記送信機は、前記第1の継続時間または前記第2の継続時間中に前記少なくとも1つのワイヤレスデバイスにトリガフレームをさらに送信し、前記トリガフレームは、前記共有周波数スペクトル帯域のうちの前記部分帯域上で前記アップリンクデータを送信するように前記少なくとも1つのワイヤレスデバイスに指示する、請求項25に記載の装置。
【請求項２７】
前記少なくとも1つのワイヤレスデバイスからの前記第2のメッセージの受信に少なくとも部分的に基づいて、前記少なくとも1つのワイヤレスデバイスにアップリンクリソースを割り振るためのリソースアロケータをさらに備える、請求項25に記載の装置。
【請求項２８】
前記送信機は、前記共有周波数スペクトル帯域のうちの前記部分帯域上でスクランブラシードインデックスを送信するようにさらに構成される、請求項25に記載の装置。
【請求項２９】
前記チャネルモニタは、前記スクランブラシードインデックスに少なくとも部分的に基づいて、前記少なくとも1つのワイヤレスデバイスと関連付けられた事前に割り当てられたスクランブラシードを受信するようにさらに構成され、前記装置が、前記受信され事前に割り当てられたスクランブラシードに少なくとも部分的に基づいて前記少なくとも1つのワイヤレスデバイスを識別するためのデバイス識別子をさらに含む、請求項28に記載の装置。
【請求項３０】
前記第1のメッセージを前記送信することが、前記共有周波数スペクトル帯域のうちの前記部分帯域上でアップリンクリソースユニットインデックスを送信することを含む、請求項25に記載の装置。
【請求項３１】
前記第2のメッセージは、前記アップリンクリソースユニットインデックスに少なくとも部分的に基づく周波数分割多重化メッセージであり、前記装置が、前記少なくとも1つのワイヤレスデバイスと関連付けられたアップリンクリソースの監視に少なくとも部分的に基づいて前記少なくとも1つのワイヤレスデバイスを識別するためのデバイス識別子をさらに含む、請求項30に記載の装置。
【請求項３２】
前記第1のメッセージを前記送信することが、前記共有周波数スペクトル帯域のうちの第1の部分帯域を介してアップリンクチャネルインデックスを送信することを含み、
前記第2のメッセージを前記受信することが、前記アップリンクチャネルインデックスに少なくとも部分的に基づいて前記共有周波数スペクトル帯域のうちの第2の部分帯域上で前記第2のメッセージを受信することを含み、前記装置が、前記共有周波数スペクトル帯域のうちの前記第2の部分帯域の監視に少なくとも部分的に基づいて前記少なくとも1つのワイヤレスデバイスを識別するためのデバイス識別子をさらに含む、
請求項25に記載の装置。
【請求項３３】
前記第1のメッセージまたは前記第2のメッセージの一方または両方が、前記第1の継続時間または前記第2の継続時間をそれぞれ示す物理層(PHY)継続時間フィールドを含む、請求項25に記載の装置。
【請求項３４】
前記第1のメッセージまたは前記第2のメッセージの一方または両方が、前記第1の継続時間または前記第2の継続時間をそれぞれ示すネットワーク割振りベクトル(NAV)を特定する媒体アクセス制御(MAC)フレームを含む、請求項25に記載の装置。
【請求項３５】
前記第1のメッセージは前記複数のワイヤレスデバイスにアドレス指定され、前記トリガフレームは、それぞれ第2のメッセージが受信された前記複数のワイヤレスデバイスのうちの識別されたサブセットにアドレス指定される、請求項26に記載の装置。
【請求項３６】
ワイヤレス通信のための装置であって、
第2のワイヤレスデバイスから、前記装置を含む1つまたは複数のワイヤレスデバイスにアドレス指定された第1のメッセージを受信するための受信機であって、前記1つまたは複数のワイヤレスデバイスが前記装置を含み、前記第1のメッセージが第1の継続時間以内に応答するための前記1つまたは複数のワイヤレスデバイスへの指示を含み、前記第1のメッセージは、前記第1の継続時間中に共有周波数スペクトル帯域のうちの部分帯域へのアクセスに対して競合するのを控えるように、前記第1のメッセージによってアドレス指定されないアドレス指定されていないワイヤレスデバイスに指示する、受信機と、
前記第1のメッセージに応答して前記第1の継続時間中に第2のメッセージを送信するためのマルチユーザ(MU)制御ユニットであって、前記第2のメッセージは、第2の継続時間中に前記共有周波数スペクトル帯域のうちの前記部分帯域へのアクセスに対して競合するのを控えるように、前記アドレス指定されていないワイヤレスデバイスまたは他のワイヤレスデバイスに指示する、MU制御ユニットと、
前記第1の継続時間または前記第2の継続時間以内に前記共有周波数スペクトル帯域のうちの前記部分帯域上で前記第2のワイヤレスデバイスにアップリンクデータを送信するための送信機と
を備える、装置。
【請求項３７】
前記受信機は、前記第1の継続時間または前記第2の継続時間中に前記第2のワイヤレスデバイスからトリガフレームを受信するようにさらに構成され、前記トリガフレームが、前記共有周波数スペクトル帯域のうちの前記部分帯域上でアップリンクデータを送信するように前記装置に指示する、請求項36に記載の装置。
【請求項３８】
前記MU制御ユニットは、前記第2のワイヤレスデバイスへの前記第2のメッセージの送信に少なくとも部分的に基づいて前記第2のワイヤレスデバイスからアップリンクリソース割振りを受信するようにさらに構成される、請求項36に記載の装置。
【請求項３９】
前記第1のメッセージを前記受信することは、前記共有周波数スペクトル帯域のうちの前記部分帯域上でスクランブラシードインデックスを受信することを含む、請求項36に記載の装置。
【請求項４０】
前記第2のメッセージを前記送信することは、前記スクランブラシードインデックスに少なくとも部分的に基づいて前記共有周波数スペクトル帯域のうちの前記部分帯域上で、前記装置と関連付けられた事前に割り当てられたスクランブラシードを送信することを含む、請求項39に記載の装置。
【請求項４１】
前記第1のメッセージを前記受信することは、前記共有周波数スペクトル帯域のうちの前記部分帯域上でアップリンクリソースユニットインデックスを受信することを含む、請求項36に記載の装置。
【請求項４２】
前記第1のメッセージまたは前記第2のメッセージの一方または両方が、前記第1の継続時間または前記第2の継続時間をそれぞれ示す物理層(PHY)継続時間フィールドを含む、請求項36に記載の装置。
【請求項４３】
前記第1のメッセージまたは前記第2のメッセージの一方または両方が、前記第1の継続時間または前記第2の継続時間をそれぞれ示すネットワーク割振りベクトル(NAV)を特定する媒体アクセス制御(MAC)フレームを含む、請求項36に記載の装置。
【請求項４４】
ワイヤレス通信のための装置であって、
プロセッサと、
前記プロセッサと電子的に通信しているメモリと、
前記メモリに記憶された命令であって、前記プロセッサによって実行されると、前記装置に、
第1のメッセージを送信することであって、前記第1のメッセージは複数のワイヤレスデバイスにアドレス指定され、前記第1のメッセージは第1の継続時間以内に応答するための前記複数のワイヤレスデバイスへの指示を含み、前記第1のメッセージは、前記第1の継続時間中に共有周波数スペクトル帯域のうちの部分帯域へのアクセスに対して競合するのを控えるように、前記第1のメッセージによってアドレス指定されないアドレス指定されていないワイヤレスデバイスに指示する、送信することと、
前記第1のメッセージに応答して前記第1の継続時間中に前記複数のワイヤレスデバイスのうちの少なくとも1つのワイヤレスデバイスから第2のメッセージを受信することであって、前記第2のメッセージは、第2の継続時間中に前記共有周波数スペクトル帯域のうちの前記部分帯域へのアクセスに対して競合するのを控えるように、前記アドレス指定されていないワイヤレスデバイスまたは他のワイヤレスデバイスに指示する、受信することと、
前記第1の継続時間または前記第2の継続時間以内に前記共有周波数スペクトル帯域のうちの前記部分帯域上で前記少なくとも1つのワイヤレスデバイスからアップリンクデータを受信することと
を行わせるように動作可能である、命令と
を備える、装置。
【請求項４５】
前記命令が、前記装置に、
前記第1の継続時間または前記第2の継続時間中に前記少なくとも1つのワイヤレスデバイスにトリガフレームを送信することであって、前記トリガフレームは、前記共有周波数スペクトル帯域のうちの前記部分帯域上で前記アップリンクデータを送信するように前記少なくとも1つのワイヤレスデバイスに指示する、送信すること
を行わせるように動作可能である、請求項44に記載の装置。
【請求項４６】
前記命令が、前記装置に、
前記少なくとも1つのワイヤレスデバイスからの前記第2のメッセージの受信に少なくとも部分的に基づいて、前記少なくとも1つのワイヤレスデバイスにアップリンクリソースを割り振ること
を行わせるように動作可能である、請求項44に記載の装置。
【請求項４７】
前記第1のメッセージを前記送信することは、前記共有周波数スペクトル帯域のうちの前記部分帯域上でスクランブラシードインデックスを送信することを含む、請求項44に記載の装置。
【請求項４８】
前記第2のメッセージを前記受信することは、前記スクランブラシードインデックスに少なくとも部分的に基づいて、前記少なくとも1つのワイヤレスデバイスと関連付けられた事前に割り当てられたスクランブラシードを受信することを含み、前記命令が、前記装置に、前記受信され事前に割り当てられたスクランブラシードに少なくとも部分的に基づいて前記少なくとも1つのワイヤレスデバイスを識別することを行わせるように動作可能である、請求項47に記載の装置。
【請求項４９】
前記第1のメッセージを前記送信することが、前記共有周波数スペクトル帯域のうちの前記部分帯域上でアップリンクリソースユニットインデックスを送信することを含む、請求項44に記載の装置。
【請求項５０】
前記第2のメッセージは、前記アップリンクリソースユニットインデックスに少なくとも部分的に基づく周波数分割多重化メッセージであり、前記命令が、前記装置に、前記ワイヤレスデバイスと関連付けられたアップリンクリソースの監視に少なくとも部分的に基づいて前記少なくとも1つのワイヤレスデバイスを識別することを行わせるように動作可能である、請求項49に記載の装置。
【請求項５１】
前記第1のメッセージを前記送信することが、前記共有周波数スペクトル帯域のうちの第1の部分帯域を介してアップリンクチャネルインデックスを送信することを含み、
前記第2のメッセージを前記受信することが、前記アップリンクチャネルインデックスに少なくとも部分的に基づいて前記共有周波数スペクトル帯域のうちの第2の部分帯域上で前記第2のメッセージを受信することを含み、
前記命令が、前記装置に、前記共有周波数スペクトル帯域のうちの前記第2の部分帯域の監視に少なくとも部分的に基づいて前記少なくとも1つのワイヤレスデバイスを識別することを行わせるように動作可能である、
請求項44に記載の装置。
【請求項５２】
前記第1のメッセージがマルチユーザ(MU)送信要求(RTS)フレームを含み、前記少なくとも1つの受信されたそれぞれの第2のメッセージが送信可(CTS)フレームを含む、請求項44に記載の装置。
【請求項５３】
前記第1のメッセージまたは前記第2のメッセージの一方または両方が、前記第1の継続時間または前記第2の継続時間をそれぞれ示す物理層(PHY)継続時間フィールドを含む、請求項44に記載の装置。
【請求項５４】
前記第1のメッセージまたは前記第2のメッセージの一方または両方が、前記第1の継続時間または前記第2の継続時間をそれぞれ示すネットワーク割振りベクトル(NAV)を特定する媒体アクセス制御(MAC)フレームを含む、請求項44に記載の装置。
【請求項５５】
前記第1のメッセージは前記複数のワイヤレスデバイスにアドレス指定され、前記トリガフレームは、それぞれ第2のメッセージが受信された前記複数のワイヤレスデバイスのうちの識別されたサブセットにアドレス指定される、請求項45に記載の装置。
【請求項５６】
ワイヤレス通信のための装置であって、
プロセッサと、
前記プロセッサと電子的に通信しているメモリと、
前記メモリに記憶された命令であって、前記プロセッサによって実行されると、前記装置に、
第2のワイヤレスデバイスから、前記装置を含む1つまたは複数のワイヤレスデバイスにアドレス指定された第1のメッセージを受信することであって、前記1つまたは複数のワイヤレスデバイスが前記装置を含み、前記第1のメッセージが第1の継続時間以内に応答するための前記1つまたは複数のワイヤレスデバイスへの指示を含み、前記第1のメッセージは、前記第1の継続時間中に共有周波数スペクトル帯域のうちの部分帯域へのアクセスに対して競合するのを控えるように、前記第1のメッセージによってアドレス指定されないアドレス指定されていないワイヤレスデバイスに指示する、受信することと、
前記第1のメッセージに応答して前記第1の継続時間中に第2のメッセージを送信することであって、前記第2のメッセージは、第2の継続時間中に前記共有周波数スペクトル帯域のうちの前記部分帯域へのアクセスに対して競合するのを控えるように、前記アドレス指定されていないワイヤレスデバイスまたは他のワイヤレスデバイスに指示する、送信することと、
前記第1の継続時間または前記第2の継続時間以内に前記共有周波数スペクトル帯域のうちの前記部分帯域上で前記第2のワイヤレスデバイスにアップリンクデータを送信することと
を行わせるように動作可能である、命令と
を備える、装置。
【請求項５７】
前記命令が、前記装置に、
前記第1の継続時間または前記第2の継続時間中に前記第2のワイヤレスデバイスからトリガフレームを受信することであって、前記トリガフレームが、前記共有周波数スペクトル帯域のうちの前記部分帯域上でアップリンクデータを送信するように前記装置に指示する、受信すること
を行わせるように動作可能である、請求項56に記載の装置。
【請求項５８】
前記命令が、前記装置に、
前記第2のワイヤレスデバイスへの前記第2のメッセージの送信に少なくとも部分的に基づいて前記第2のワイヤレスデバイスからアップリンクリソース割振りを受信すること
を行わせるように動作可能である、請求項56に記載の装置。
【請求項５９】
前記第1のメッセージがスクランブラシードインデックスを含む、請求項56に記載の装置。
【請求項６０】
前記第2のメッセージが、前記スクランブラシードインデックスに少なくとも部分的に基づく、前記装置に関連付けられた、事前に割り当てられたスクランブラシードを含む、請求項59に記載の装置。
【請求項６１】
前記第1のメッセージがアップリンクリソースユニットインデックスを含む、請求項56に記載の装置。
【請求項６２】
前記第1のメッセージまたは前記第2のメッセージの一方または両方が、前記第1の継続時間または前記第2の継続時間をそれぞれ示す物理層(PHY)継続時間フィールドを含む、請求項56に記載の装置。
【請求項６３】
前記第1のメッセージまたは前記第2のメッセージの一方または両方が、前記第1の継続時間または前記第2の継続時間をそれぞれ示すネットワーク割振りベクトル(NAV)を特定する媒体アクセス制御(MAC)フレームを含む、請求項56に記載の装置。
【請求項６４】
ワイヤレス通信のためのコードを記憶する非一時的コンピュータ可読記憶媒体であって、前記コードが、
第1のメッセージを送信することであって、前記第1のメッセージは複数のワイヤレスデバイスにアドレス指定され、前記第1のメッセージは第1の継続時間以内に応答するための前記複数のワイヤレスデバイスへの指示を含み、前記第1のメッセージは、前記第1の継続時間中に共有周波数スペクトル帯域のうちの部分帯域へのアクセスに対して競合するのを控えるように、前記第1のメッセージによってアドレス指定されないアドレス指定されていないワイヤレスデバイスに指示する、送信することと、
前記第1のメッセージに応答して前記第1の継続時間中に前記複数のワイヤレスデバイスのうちの少なくとも1つのワイヤレスデバイスから第2のメッセージを受信することであって、前記第2のメッセージは、第2の継続時間中に前記共有周波数スペクトル帯域のうちの前記部分帯域へのアクセスに対して競合するのを控えるように、前記アドレス指定されていないワイヤレスデバイスまたは他のワイヤレスデバイスに指示する、受信することと、
前記第1の継続時間または前記第2の継続時間以内に前記共有周波数スペクトル帯域のうちの前記部分帯域上で前記少なくとも1つのワイヤレスデバイスからアップリンクデータを受信することと
を行うように実行可能な命令を含む、非一時的コンピュータ可読記憶媒体。
【請求項６５】
ワイヤレス通信のためのコードを記憶する非一時的コンピュータ可読記憶媒体であって、前記コードが、
第2のワイヤレスデバイスから第1のワイヤレスデバイスによって、1つまたは複数のワイヤレスデバイスにアドレス指定された第1のメッセージを受信することであって、前記1つまたは複数のワイヤレスデバイスが前記第1のワイヤレスデバイスを含み、前記第1のメッセージが第1の継続時間以内に応答するための前記1つまたは複数のワイヤレスデバイスへの指示を含み、前記第1のメッセージは、前記第1の継続時間中に共有周波数スペクトル帯域のうちの部分帯域へのアクセスに対して競合するのを控えるように、前記第1のメッセージによってアドレス指定されないアドレス指定されていないワイヤレスデバイスに指示する、受信することと、
前記第1のメッセージに応答して前記第1の継続時間中に第2のメッセージを送信することであって、前記第2のメッセージは、第2の継続時間中に前記共有周波数スペクトル帯域のうちの前記部分帯域へのアクセスに対して競合するのを控えるように、前記アドレス指定されていないワイヤレスデバイスまたは他のワイヤレスデバイスに指示する、送信することと、
前記第1の継続時間または前記第2の継続時間以内に前記共有周波数スペクトル帯域のうちの前記部分帯域上で前記第2のワイヤレスデバイスにアップリンクデータを送信することと
を行うように実行可能な命令を含む、非一時的コンピュータ可読記憶媒体。
【請求項６６】
前記アップリンクデータの受信に応答して、前記第1の継続時間または前記第2の継続時間以内に前記少なくとも1つのワイヤレスデバイスに前記アップリンクデータの肯定応答を示す少なくとも1つの肯定応答メッセージを送信するステップをさらに含む、請求項1に記載の方法。
【請求項６７】
前記送信機は、前記アップリンクデータの受信に応答して、前記第1の継続時間または前記第2の継続時間以内に前記少なくとも1つのワイヤレスデバイスに前記アップリンクデータの肯定応答を示す少なくとも1つの肯定応答メッセージを送信するようにさらに構成される、請求項25に記載の装置。
【請求項６８】
前記命令が、前記プロセッサによって実行されたとき、前記装置に、前記アップリンクデータの受信に応答して、前記第1の継続時間または前記第2の継続時間以内に前記少なくとも1つのワイヤレスデバイスに前記アップリンクデータの肯定応答を示す少なくとも1つの肯定応答メッセージを送信させるようにさらに動作可能である、請求項44に記載の装置。
【発明の詳細な説明】
【技術分野】
【０００１】
相互参照
本特許出願は、各々が本出願の譲受人に譲渡される、2016年5月3日に出願された「Techniques for Protecting Communications in Wireless Local Area Networks」と題する、Cherianらによる米国特許出願第15/145,684号、および2015年5月5日に出願された「Techniques for Protecting Communications in Wireless Local Area Networks」と題する、Cherianらによる米国仮特許出願第62/157,416号に対する優先権を主張するものである。
【０００２】
以下は、一般に、ワイヤレス通信に関し、より詳細には、ワイヤレスローカルエリアネットワーク(WLAN)において通信を保護するための技法に関する。
【背景技術】
【０００３】
ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース(たとえば、時間、周波数、および電力)を共有することによって、複数のユーザとの通信をサポートできる多元接続システムであってもよい。Wi-Fi(IEEE 802.11)ネットワークのようなWLANが広く展開され、使用されている。そのような多元接続システムの他の例は、符号分割多元接続(CDMA)システム、時分割多元接続(TDMA)システム、周波数分割多元接続(FDMA)システム、および直交周波数分割多元接続(OFDMA)システムを含み得る。
【０００４】
一般に、ワイヤレス多元接続通信システムは、各々が、たとえば、特にWLANにおいて複数のモバイルデバイスまたは局(STA)のための通信を同時にサポートする、いくつかのアクセスポイント(AP)を含み得る。APは、ダウンストリームリンクおよびアップストリームリンク上でSTAと通信し得る。各APは、カバレージ範囲を有し、カバレージ範囲は、セルのカバレージエリアと呼ばれることがある。Wi-Fiなどのワイヤレスローカルエリアネットワーク(WLAN)では、APは、共有無線周波数スペクトルを介して複数のSTAと通信し得る。STAは、近傍の通信デバイスが受ける干渉を制限するために、送信要求/送信可(RTS/CTS)メッセージングのような競合手順を使用することができる。RTS/CTSメッセージングのような競合手順は、本質的に、第1のデバイス(たとえば、STAまたはAP)が第2のデバイスにデータを送信するための通信経路を許可することができる。たとえば、第2のデバイスにデータを送信する前に、STAはまず、送信要求(RTS)フレームを第2のデバイスに送ることができる。第2のデバイスは、STAが第2のデバイスへのデータの送信を開始することを許可する送信可(CTS)フレームによって、RTSフレームに応答することができる。
【０００５】
他のデバイスが、(たとえば、エネルギー検出技法を使用して)チャネルがアイドルであるか否かを判定するために、媒体を監視することができる。チャネルがアイドルでない(たとえば、エネルギーレベルが閾値を上回る)とデバイスが判定した場合、デバイスは、所定の継続時間にわたって送信の試行を控えることができる。一例において、デバイスは、チャネルのエネルギーレベルが閾値を上回っていることの検出に基づいて、媒体上での送信の試行を再開する前に、延長フレーム間隔時間(EIFS)を待つことができる。しかしながら、EIFSは、複数のデバイスからのマルチユーザ(MU)送信を保護するのに十分に長い継続時間ではない場合がある。それゆえ、いくつかのデバイスは、MU送信と干渉する制御またはデータフレームの送信を開始する場合がある。これによって、ワイヤレスネットワークの全体的なスループットおよび信頼性が低減する場合がある。
【発明の概要】
【課題を解決するための手段】
【０００６】
ネットワークは、MU送信をサポートし、MU送信を保護する継続時間を他のデバイスに通信するために、追加の競合ベースのパラメータを利用することができる。たとえば、第1のデバイスが、共有周波数スペクトル帯域のうちの部分帯域を確保するための第1のメッセージを送信することができる。第1のメッセージは、複数のデバイスにアドレス指定することができ、送信範囲内の他のデバイスに、チャネルアクセス保留継続時間を示すことができる。アドレス指定されていないデバイスは、示されている継続時間にわたってチャネルにアクセスすることを控え得る。第1のメッセージを受信し、第2のメッセージによって第1のメッセージに応答する、アドレス指定されているデバイスはまた、チャネルを確保するために使用することができる。第2のメッセージは、加えて、第1のメッセージを受信したデバイスを識別するために使用することができる。第2のメッセージは、第1のメッセージを逃したデバイスに対する冗長な保護をもたらすことができる。第1のデバイスは、第2のメッセージを受信し、トリガメッセージを生成するために使用することができる。
【０００７】
ワイヤレス通信の方法が説明される。方法は、複数のワイヤレスデバイスに、少なくともアップリンク送信のために共有周波数スペクトル帯域のうちの部分帯域を確保するための第1のメッセージを送信するステップと、第1のメッセージに応答して、複数のワイヤレスデバイスのうちのワイヤレスデバイスから第2のメッセージを受信するステップであって、第2のメッセージは、共有周波数スペクトル帯域のうちの部分帯域が、少なくともアップリンク送信のために確保されていることを示す、受信するステップと、受信された第2のメッセージに少なくとも部分的に基づいて、ワイヤレスデバイスを識別するステップと、共有周波数スペクトル帯域の確保された部分帯域上で、識別されたワイヤレスデバイスからアップリンクデータを受信するステップとを含むことができる。
【０００８】
ワイヤレス通信のための装置が説明される。装置は、複数のワイヤレスデバイスに、少なくともアップリンク送信のために共有周波数スペクトル帯域のうちの部分帯域を確保するための第1のメッセージを送信するための送信機と、第1のメッセージに応答して、複数のワイヤレスデバイスのうちのワイヤレスデバイスから第2のメッセージを受信するためのチャネルモニタであって、第2のメッセージは、共有周波数スペクトル帯域のうちの部分帯域が、少なくともアップリンク送信のために確保されていることを示す、チャネルモニタと、受信された第2のメッセージに少なくとも部分的に基づいて、ワイヤレスデバイスを識別するためのデバイス識別子と、共有周波数スペクトル帯域の確保された部分帯域上で、識別されたワイヤレスデバイスからアップリンクデータを受信するための受信機とを含むことができる。
【０００９】
ワイヤレス通信のためのさらなる装置が説明される。装置は、プロセッサと、プロセッサと電子的に通信しているメモリと、メモリ内に記憶されている命令とを含むことができ、命令は、プロセッサによって実行されると、装置に、複数のワイヤレスデバイスに、少なくともアップリンク送信のために共有周波数スペクトル帯域のうちの部分帯域を確保するための第1のメッセージを送信するステップと、第1のメッセージに応答して、複数のワイヤレスデバイスのうちのワイヤレスデバイスから第2のメッセージを受信するステップであって、第2のメッセージは、共有周波数スペクトル帯域のうちの部分帯域が、少なくともアップリンク送信のために確保されていることを示す、受信するステップと、受信された第2のメッセージに少なくとも部分的に基づいて、ワイヤレスデバイスを識別するステップと、共有周波数スペクトル帯域の確保された部分帯域上で、識別されたワイヤレスデバイスからアップリンクデータを受信するステップとを行わせるように動作可能である。
【００１０】
ワイヤレス通信のためのコードを記憶した非一時的コンピュータ可読媒体が説明される。コードは、複数のワイヤレスデバイスに、少なくともアップリンク送信のために共有周波数スペクトル帯域のうちの部分帯域を確保するための第1のメッセージを送信するステップと、第1のメッセージに応答して、複数のワイヤレスデバイスのうちのワイヤレスデバイスから第2のメッセージを受信するステップであって、第2のメッセージは、共有周波数スペクトル帯域のうちの部分帯域が、少なくともアップリンク送信のために確保されていることを示す、受信するステップと、受信された第2のメッセージに少なくとも部分的に基づいて、ワイヤレスデバイスを識別するステップと、共有周波数スペクトル帯域の確保された部分帯域上で、識別されたワイヤレスデバイスからアップリンクデータを受信するステップとを行うように実行可能な命令を含むことができる。
【００１１】
本明細書で説明する方法、装置、または非一時的コンピュータ可読媒体のいくつかの例は、識別されたワイヤレスデバイスにトリガフレームを送信するためのプロセス、機構、手段、または命令をさらに含むことができ、トリガフレームは、ワイヤレスデバイスに、共有周波数スペクトル帯域のうちの部分帯域上でアップリンクデータを送信するように指示する。追加または代替として、いくつかの例において、第1のメッセージ、または第2のメッセージ、またはトリガメッセージ、またはそれらの組合せは、少なくとも1つの後続のアップリンク送信をカバーする継続時間を示す継続時間フィールドを含む。
【００１２】
本明細書で説明する方法、装置、または非一時的コンピュータ可読媒体のいくつかの例において、第1のメッセージ、または第2のメッセージ、またはトリガメッセージ、またはそれらの組合せは、少なくとも1つの後続のアップリンク送信、および、アップリンクデータ送信の少なくとも1つの後続のダウンリンク確認応答メッセージをカバーする継続時間を示す継続時間フィールドを含む。追加または代替として、いくつかの例において、第1のメッセージは複数のワイヤレスデバイスにアドレス指定され、トリガフレームは、複数のワイヤレスデバイスのうちの識別されたサブセットにアドレス指定される。
【００１３】
本明細書で説明する方法、装置、または非一時的コンピュータ可読媒体のいくつかの例は、ワイヤレスデバイスの識別されたサブセットにアップリンクリソースを割り振るためのプロセス、機構、手段、または命令をさらに含むことができる。追加または代替として、いくつかの例において、トリガフレームは、媒体アクセス制御(MAC)トリガフレームまたは物理層(PHY)トリガフレームを含む。
【００１４】
本明細書で説明する方法、装置、または非一時的コンピュータ可読媒体のいくつかの例において、媒体アクセス制御(MAC)トリガフレームは、ネットワーク割振りベクトル(NAV)フィールドを含む。追加または代替として、いくつかの例において、物理(PHY)トリガフレームは、高効率信号フィールド(HE-SIG)または複製レガシー信号フィールド(L-SIG)を含む送信機会(TXOP)フィールドを含む。
【００１５】
本明細書で説明する方法、装置、または非一時的コンピュータ可読媒体のいくつかの例は、ワイヤレスデバイスからの第2のメッセージの受信に少なくとも部分的に基づいて、識別されたワイヤレスデバイスにアップリンクリソースを割り振るためのプロセス、機構、手段、または命令をさらに含むことができる。追加または代替として、いくつかの例において、第1のメッセージを送信するステップは、共有周波数スペクトル帯域のうちの部分帯域上で、スクランブラシードインデックスを送信するステップを含む。
【００１６】
本明細書で説明する方法、装置、または非一時的コンピュータ可読媒体のいくつかの例において、第2のメッセージを受信するステップは、スクランブラシードインデックスに少なくとも部分的に基づいて、ワイヤレスデバイスと関連付けられた、事前に割り当てられたスクランブラシードを受信するステップを含み、ワイヤレスデバイスを識別するステップは、受信された、事前に割り当てられたスクランブラシードに少なくとも部分的に基づく。追加または代替として、いくつかの例において、第1のメッセージを送信するステップは、共有周波数スペクトル帯域のうちの部分帯域上で、アップリンクリソースユニットインデックスを送信するステップを含む。
【００１７】
本明細書で説明する方法、装置、または非一時的コンピュータ可読媒体のいくつかの例において、第2のメッセージは、アップリンクリソースユニットインデックスに少なくとも部分的に基づく周波数分割多重化メッセージであり、ワイヤレスデバイスを識別するステップは、ワイヤレスデバイスと関連付けられたアップリンクリソースの監視に少なくとも部分的に基づく。追加または代替として、いくつかの例において、第1のメッセージを送信するステップは、共有周波数スペクトル帯域のうちの第1の部分帯域にわたってアップリンクチャネルインデックスを送信するステップを含み、第2のメッセージを受信するステップは、アップリンクチャネルインデックスに少なくとも部分的に基づいて共有周波数スペクトル帯域のうちの第2の部分帯域上で第2のメッセージを受信するステップを含み、ワイヤレスデバイスを識別するステップは、共有周波数スペクトル帯域のうちの第2の部分帯域の監視に少なくとも部分的に基づく。
【００１８】
本明細書で説明する方法、装置、または非一時的コンピュータ可読媒体のいくつかの例において、第1のメッセージは、マルチユーザ(MU)送信要求(RTS)フレームを含み、第2のメッセージは、送信可(CTS)フレームを含む。
【００１９】
ワイヤレス通信の方法が説明される。方法は、アクセスポイントから、共有周波数スペクトル帯域のうちの部分帯域を確保する第1のメッセージを受信するステップと、第1のメッセージに応答して第2のメッセージを送信するステップであって、第2のメッセージは、共有周波数スペクトル帯域のうちの部分帯域が確保されていることを示し、ワイヤレスデバイスの識別情報を含む、第2のメッセージを送信するステップと、共有周波数スペクトル帯域のうちの部分帯域上で、アクセスポイントにアップリンクデータを送信するステップとを含むことができる。
【００２０】
ワイヤレス通信のための装置が説明される。装置は、アクセスポイントから、共有周波数スペクトル帯域のうちの部分帯域を確保する第1のメッセージを受信するための受信機と、第1のメッセージに応答して第2のメッセージを送信するためのMU制御ユニットであって、第2のメッセージは、共有周波数スペクトル帯域のうちの部分帯域が確保されていることを示し、ワイヤレスデバイスの識別情報を含む、MU制御ユニットと、共有周波数スペクトル帯域のうちの部分帯域上で、アクセスポイントにアップリンクデータを送信するための送信機とを含むことができる。
【００２１】
ワイヤレス通信のためのさらなる装置が説明される。装置は、プロセッサと、プロセッサと電子的に通信しているメモリと、メモリ内に記憶されている命令とを含むことができ、命令は、プロセッサによって実行されると、装置に、アクセスポイントから、共有周波数スペクトル帯域のうちの部分帯域を確保する第1のメッセージを受信するステップと、第1のメッセージに応答して第2のメッセージを送信するステップであって、第2のメッセージは、共有周波数スペクトル帯域のうちの部分帯域が確保されていることを示し、ワイヤレスデバイスの識別情報を含む、第2のメッセージを送信するステップと、共有周波数スペクトル帯域のうちの部分帯域上で、アクセスポイントにアップリンクデータを送信するステップと行わせるように動作可能である。
【００２２】
ワイヤレス通信のためのコードを記憶した非一時的コンピュータ可読媒体が説明される。コードは、アクセスポイントから、共有周波数スペクトル帯域のうちの部分帯域を確保する第1のメッセージを受信するステップと、第1のメッセージに応答して第2のメッセージを送信するステップであって、第2のメッセージは、共有周波数スペクトル帯域のうちの部分帯域が確保されていることを示し、ワイヤレスデバイスの識別情報を含む、第2のメッセージを送信するステップと、共有周波数スペクトル帯域のうちの部分帯域上で、アクセスポイントにアップリンクデータを送信するステップとを行うように実行可能な命令を含むことができる。
【００２３】
本明細書で説明する方法、装置、または非一時的コンピュータ可読媒体のいくつかの例は、共有周波数スペクトル帯域のうちの部分帯域上でアップリンクデータを送信するためのトリガフレームをアクセスポイントから受信するためのプロセス、機構、手段、または命令をさらに含むことができる。追加または代替として、いくつかの例において、第1のメッセージ、または第2のメッセージ、またはトリガメッセージ、またはそれらの組合せは、少なくともアップリンクデータ送信をカバーする継続時間を示す継続時間フィールドを含む。
【００２４】
本明細書で説明する方法、装置、または非一時的コンピュータ可読媒体のいくつかの例において、第1のメッセージ、または第2のメッセージ、またはトリガメッセージ、またはそれらの組合せは、少なくともアップリンクデータの送信、および、アップリンクデータ送信の確認応答メッセージの後続のダウンリンク送信をカバーする継続時間を示す継続時間フィールドを含む。追加または代替として、いくつかの例は、アクセスポイントへの第2のメッセージの送信に少なくとも部分的に基づいて、アクセスポイントからアップリンクリソース割振りを受信するためのプロセス、機構、手段、または命令を含むことができる。
【００２５】
本明細書で説明する方法、装置、または非一時的コンピュータ可読媒体のいくつかの例において、第1のメッセージを受信するステップは、共有周波数スペクトル帯域のうちの部分帯域上でスクランブラシードインデックスを受信するステップを含む。追加または代替として、いくつかの例において、第2のメッセージを送信するステップは、スクランブラシードインデックスに少なくとも部分的に基づいて、共有周波数スペクトル帯域のうちの部分帯域上で、ワイヤレスデバイスと関連付けられた、事前に割り当てられたスクランブラシードを送信するステップを含む。
【００２６】
本明細書で説明する方法、装置、または非一時的コンピュータ可読媒体のいくつかの例は、WLANにおいて通信を保護するためのプロセス、機構、手段、または命令をさらに含むことができる。説明されているシステム、方法、装置、またはコンピュータ可読媒体の適用性のさらなる範囲は、以下の発明を実施するための形態、特許請求の範囲、および図面から明らかになろう。詳細な説明および特定の例は、説明の範囲内の様々な変更および修正は当業者には明らかになるであろうことから、例示としてのみ与えられる。
【００２７】
本開示の本質および利点のさらなる理解は、以下の図面を参照することによって実現することができる。添付の図面では、同様の構成要素または特徴は、同じ参照ラベルを有する場合がある。さらに、同じタイプの様々な構成要素は、参照ラベルの後に、ダッシュと、同様の構成要素を区別する第2のラベルとを続けることによって区別される場合がある。第1の参照ラベルのみが本明細書で使用される場合、説明は、第2の参照ラベルにかかわらず、同じ第1の参照ラベルを有する同様の構成要素のうちのいずれにも適用可能である。
【図面の簡単な説明】
【００２８】
【図１】本開示の様々な態様による、WLANにおいて通信を保護するための、WLANのようなネットワークの一例を示す図である。
【図２】本開示の様々な態様による、WLANにおいて通信を保護するためのワイヤレス通信サブシステムの一例を示す図である。
【図３Ａ】本開示の様々な態様による、WLANにおいて通信を保護するためのフレーム交換の一例を示す図である。
【図３Ｂ】本開示の様々な態様による、WLANにおいて通信を保護するためのフレーム交換の一例を示す図である。
【図３Ｃ】本開示の様々な態様による、WLANにおいて通信を保護するためのフレーム交換の一例を示す図である。
【図３Ｄ】本開示の様々な態様による、WLANにおいて通信を保護するためのフレーム交換の一例を示す図である。
【図４Ａ】本開示の様々な態様による、WLANにおいて通信を保護するためのトリガフレームの一例を示す図である。
【図４Ｂ】本開示の様々な態様による、WLANにおいて通信を保護するためのトリガフレームの一例を示す図である。
【図５】本開示の様々な態様による、WLANにおいて通信を保護するための技法をサポートするワイヤレスデバイスのブロック図である。
【図６】本開示の様々な態様による、WLANにおいて通信を保護するための技法をサポートするワイヤレスデバイスのブロック図である。
【図７】本開示の様々な態様による、WLANにおいて通信を保護するための技法をサポートするワイヤレスデバイスのブロック図である。
【図８】本開示の様々な態様による、WLANにおいて通信を保護するための技法をサポートするデバイスを含むシステムのブロック図である。
【図９】本開示の様々な態様による、WLANにおいて通信を保護するための技法をサポートするAPを含むシステムのブロック図である。
【図１０】本開示の様々な態様による、WLANにおいて通信を保護するための技法のための方法を示す図である。
【図１１】本開示の様々な態様による、WLANにおいて通信を保護するための技法のための方法を示す図である。
【図１２】本開示の様々な態様による、WLANにおいて通信を保護するための技法のための方法を示す図である。
【図１３】本開示の様々な態様による、WLANにおいて通信を保護するための技法のための方法を示す図である。
【図１４】本開示の様々な態様による、WLANにおいて通信を保護するための技法のための方法を示す図である。
【発明を実施するための形態】
【００２９】
本開示によれば、ネットワークは、マルチユーザ(MU)送信をサポートし、MU送信を保護する継続時間を他のデバイスに通信するために、追加の競合ベースのパラメータを利用することができる。本開示の態様は、ワイヤレス通信システムの文脈において説明される。たとえば、ネットワークは、競合ベースのプロトコルを使用して、共有チャネル上のアップリンク送信およびダウンリンク送信を保護することができる。MU送信をサポートするために、ネットワークによって追加のプロトコルを利用することができる。
【００３０】
一例において、送信デバイスが、MU対応デバイスにアドレス指定されるダウンリンク制御フレーム(たとえば、MACトリガフレーム、PHYトリガフレーム、MU-RTS、MU PPDUなど)を送信することができる。ダウンリンク制御フレームは、ネットワーク割振りベクトル(NAV)保護、フレーム間隔(IFS)保護、および送信機会(TXOP)保護のような保護メカニズムを含むことができる。保護メカニズムは、アドレス指定されていないデバイス、および、非MU対応デバイスに対して保護することができる。受信デバイスは、ダウンリンク制御フレームに応答してアップリンク制御フレーム(たとえば、送信可(CTS)フレーム、無効データユニット(NDU)など)を送信することができる。アップリンク制御フレームは、同様に保護メカニズムを含むことができ、アドレス指定されていないデバイスおよび非MU対応デバイスによっても、受信または検出することができる。いくつかの事例において、アップリンク制御フレームは、ダウンリンク制御フレームを受信せず、または、検出しなかった「隠れ」デバイスによって受信される場合があり、これによって、後続の送信に関する保護の範囲が増大する。アップリンク制御フレームは、送信デバイスにアップリンク制御フレームを送信した受信デバイスを識別する第2の目的を果たすことができる。アップリンク制御フレームは、対応するデバイスの識別を促進するための直交化方法(たとえば、スクランブラシードインデックス、アップリンクリソース割振りインデックス、アップリンクチャネルインデックスなど)を使用して送信することができる。受信デバイスは、アップリンク制御フレームの後に、MUデータ送信(たとえば、MUパケット層集中プロトコル(PLCP)-プロトコルデータユニット(PPDU))を送信することができる。送信デバイスは、受信デバイスに対する確認応答(ACK)を準備するために、受信アップリンク制御フレームおよびMUデータ送信を使用することができる。
【００３１】
別の例において、送信デバイスは、ダウンリンクトリガフレーム(たとえば、MACトリガフレーム、PHYトリガフレーム、MU-RTSなど)を用いて、アップリンク制御フレームに応答することができる。送信デバイスは、受信アップリンク制御フレームに基づいてダウンリンクトリガフレームを生成することができる。たとえば、送信デバイスは、ダウンリンク制御フレームに応答したデバイスに、ダウンリンクトリガフレームをアドレス指定することができる。送信デバイスは、追加または代替として、応答するデバイスに基づいて、アップリンクリソースを再割振りすることができる。新たにアドレス指定されたデバイスは、ダウンリンクトリガフレームに基づいてMUデータ送信を送信することができ、送信デバイスは、ACK報告を準備するために、受信アップリンク制御フレームおよびMUデータ送信を使用することができる。本開示のこれらの態様および他の態様はさらに、装置の図、システムの図、および流れ図によって示され、それらの図を参照しながら説明される。
【００３２】
図1は、本開示の様々な態様による、ワイヤレスローカルエリアネットワーク(WLAN)において通信を保護するための、WLAN 100のようなネットワークの一例を示す。WLAN 100は、アクセスポイント(AP)105と、STA_1〜STA_7としてラベルを付されているワイヤレス局(STA 110)とを含むことができる。STA 110は、モバイルハンドセット、携帯情報端末(PDA)、他のハンドヘルドデバイス、ネットブック、ノートブックコンピュータ、タブレットコンピュータ、ラップトップ、デスクトップコンピュータ、ディスプレイデバイス(たとえば、TV、コンピュータモニタなど)、プリンタなどを含んでもよい。1つのAP 105だけが示されているが、WLAN 100は複数のAP 105を有してもよい。ワイヤレス局(STA)、移動局(MS)、モバイルデバイス、アクセス端末(AT)、ユーザ装置(UE)、加入者局(SS)、または加入者ユニットとも呼ばれることがあるSTA 110の各々は、通信リンク115を介してAP 105と関連付けし、通信することができる。各AP 105はカバレージエリア125を有し、したがって、そのエリア内のSTA 110は、通常はAP 105と通信し得る。STA 110は、カバレージエリア125全体にわたって分散され得る。各STA 110は固定またはモバイルとすることができる。
【００３３】
図1には示されていないが、STA 110は、2つ以上のAP 105によってカバーされることが可能であるので、異なる時間において複数のAP 105に接続することができる。単一のAP 105および関連する局のセットは、基本サービスセット(BSS)と呼ばれることがある。拡張サービスセット(ESS:extended service set)は接続されたBSSのセットである。拡張サービスセット中のAP 105を接続するために、配信システム(DS)(図示せず)が使用される。AP 105のカバレージエリア125は、カバレージエリアの一部分のみを構成するセクタ(図示せず)に分割されることがある。WLAN 100は、異なる技術に対する様々なサイズのカバレージエリアおよび重複するカバレージエリアを伴う、異なるタイプ(たとえば、メトロポリタンエリア、ホームネットワークなど)のAP 105を含むことがある。図示されていないが、他のデバイスがAP 105と通信することができる。
【００３４】
STA 110は、通信リンク115を使用して、AP 105を通じて互いに通信し得るが、各STA 110はまた、直接ワイヤレス通信リンク120を介して他のSTA 110と直接的に通信し得る。両方のSTA 110がAPカバレージエリア125内にあるとき、1つのSTA 110がAPカバレージエリア125内にあるとき、または、STA 110のいずれもAPカバレージエリア125内にないとき(図示せず)、2つ以上のSTA 110が直接ワイヤレス通信リンク120を介して通信することができる。直接ワイヤレス通信リンク120の例は、Wi-Fi Direct接続、Wi-Fi Tunnel Direct Link Setup(TDLS)リンクを使用して確立する接続、および他のピアツーピア(P2P)グループ接続を含み得る。STA 110およびAP 105は、これらの例では、WLAN無線、ならびに、IEEE 802.11および、限定はされないが802.11b、802.11g、802.11a、802.11n、802.11ac、802.11ad、802.11ah、802.11zなどを含むIEEE 802.11の様々なバージョンからの物理(PHY)層と媒体アクセス制御(MAC)層とを含むベースバンドプロトコルに従って、通信してもよい。他の実施態様では、他のピアツーピア接続またはアドホックネットワークがWLAN 100内で実装され得る。
【００３５】
特定の事例において、WLAN 100は、いくつかのデバイス(たとえば、STA 110およびAP 105)が、事前に調整することなく同じワイヤレス媒体(たとえば、チャネル)を共有することを可能にする競合ベースのプロトコルを実装することができる。競合ベースのワイヤレスシステムにおいて、デバイスは、スケジューリングせずに、共通のチャネルにアクセスするように試行することができる。いくつかのデバイスがチャネルを介して同時に送信し、それゆえ互いに干渉することを防止するために、および、一定のサービス品質(QoS)基準を保証するために、BSS内の各デバイスは、媒体アクセスを構造化および整頓する特定の手順に従って動作することができる。すなわち、各デバイスは、共通のチャネルアクセスプロトコルに従って同じ協調技法を実装することができる。たとえば、WLAN 100のデバイスは、共有媒体に対するチャネルアクセス規則を規定する拡張分散チャネルアクセス(EDCA)を実装することができる。したがって、デバイスは各々、EDCAによって規定される規則に従って、媒体をめぐって競合または競争することができる。
【００３６】
EDCAを実装する各デバイスは、関連するEDCAパラメータを有することができる。EDCAパラメータは、各ワイヤレスデバイスに特有の特定のチャネルアクセス制約をもたらすことができる。たとえば、デバイスのフレーム間隔(IFS)パラメータは、デバイスがフレーム後に通信するためにどれだけ長く待ち得るかを指示することができる。たとえば、ショートフレーム間隔(SIFS)は、デバイスがデータの受信と送信との間で待ち得る最短の継続時間であり得る。SIFSは、受信される送信と確認応答との間の期間に対応し得る。IFSの一例は、分散協調機能(DCF)フレーム間隔(DIFS)である。DIFS継続時間は、デバイスがバックオフ期間に入る前に、チャネルがどれだけ長くトラフィックなし(アイドル)でなければならないかを指定することができる。場合によってはスキップされ得る(たとえば、0秒)バックオフ期間を待った後、デバイスは、媒体を介した送信を開始することができる。DIFS継続時間は、SIFSよりも長くてもよく、ランダムバックオフまたは送信に入る前にデバイスがチャネルを監視する継続時間に対応し得る。
【００３７】
QoS要件を有するデバイスは、デバイスが関与を意図する通信のタイプに基づいて、調停IFS(AIFS)と呼ばれる異なるIFSを観測することができる。いくつかの事例において、デバイスのEDCAパラメータは、デバイスの優先順位(アクセスカテゴリ)に基づいてもよい。デバイスのアクセスカテゴリは、動的に決定することができ、デバイスが通信することを所望するトラフィックのタイプに基づくことができる。AIFSは、データタイプに基づいて決定することができ、SIFS、および/または、タイムスロットの数を示すAIFS数(AIFSN)に基づくことができる。デバイスは、AIFSNを動的に決定することができる。SIFS、ACK継続時間、およびDIFSに基づいて、拡張IFS(EIFS)を決定することができる。STAがチャネルにわたってデータフレームを検出したが、フレームを復号することができなかった場合、デバイスは、送信する前に、EIFSを待つことができる。EIFSは、デバイスが別のデバイスからの送信を検出することができず、媒体を介して干渉する送信を送る「隠れノード問題」を軽減するために使用することができる。
【００３８】
上述したように、競合ベースのチャネルアクセスシステムにおけるデバイスは、送信のために単一のチャネルを共有することができる。チャネルは、一度に1つのデバイスが送信し得る(すなわち、トラフィックは一度に2つの方向のうちの一方において流れ得る)半二重チャネルであり得る。2つ以上のデバイスが同時にチャネルにアクセスするように試行すると、衝突が発生する場合がある。衝突が発生すると、現在チャネルを占有していないデバイスは、送信障害を受ける場合がある。衝突を低減するために、デバイスは、デバイスが割り当てられたIFSパラメータに従ってチャネルにアクセスするように試行することができる。EDCAフレーム交換の例において、STA 110-aのような第1のデバイスは、STA 110-aが送る準備ができているデータを有するときに、チャネルをめぐって競合する場合がある。衝突を回避するために、STA 110-aは、送信前にチャネルが利用可能である(たとえば、STA 110-aがキャリア検知多重アクセス/衝突回避(CSMA/CA)を利用することができる)か否かを判定することができる。STA 110-aは、DIFS継続時間にわたってチャネルを連続的に監視することができる。DIFS継続時間全体にわたってチャネルがアイドルであるとSTA 110-aが判定する場合、STA 110-aは、マルチユーザ(MU)プロトコル層集中プロトコル(PLCP)パケットデータユニット(PDU)のようなデータフレーム、または、制御フレーム(たとえば、RTSフレーム)を、チャネルを介してAP 105のような第2のデバイスに送信することができる。カバレージエリア125内の他のSTA 110は、送信を検出し、追加のIFS継続時間に入ることができる。
【００３９】
いくつかの事例において、RTSフレームは、継続時間フィールドを含むネットワーク割振りベクトル(NAV)を含むことができる。継続時間フィールドは、他のSTA 110によって復号することができ、他のSTA 110がチャネルへのアクセスを保留し得る継続時間を示す。いくつかの事例において、この継続時間は、後続の送信可(CTS)フレーム、データ送信、およびACKフレームを通じて延長し得る。いくつかのSTA 110は、RTSの継続時間フィールドを復号することができず、EIFS期間に入り得る。AP 105は、同様に継続時間フィールドを含むことができるCTSフレームによってSTA 110-aに応答することができる。いくつかの事例において、RTSを復号することができなかったSTA 110が、CTSおよび継続時間フィールドを首尾よく復号することができる。いくつかのSTA 110は加えて、CTSを復号することができず、追加のEIFS期間に入り得る。STA 110-aは、CTSを受信し、AP 105にデータを送信することができる。CTSの復号に成功したSTA 110が、残りのデータ送信を通じてチャネルにアクセスするのを保留することができ、一方で、成功しなかったSTA 110は、データ送信を検出し、別のEIFS期間に入ることができる。STA 110-aがデータの送信を完了した後、AP 105は、ACKフレームをSTA 110-aに送信する前にSIFS期間を待つことができ、他のSTA 110はACKフレームを復号し、DIFS期間に入ることができる。
【００４０】
NAVは、MACフレームと関連付けることができ、チャネル保護技法の一例である。他の例は、PHYフレームと関連付けることができる送信機会(TXOP)保護を含む。たとえば、PHYフレームのレガシー信号(L-SIG)フィールドは、データレート、および、実際のフレーム継続時間よりも長い継続時間を示す長さを指定することができる。それゆえ、L-SIGフィールドを復号するSTA 110は、第1の送信を過ぎて延長する期間にわたってチャネルにアクセスするのを控えることができる。
【００４１】
いくつかの事例において、上記で言及したEDCAメカニズムは、マルチユーザフレーム交換をサポートしない場合がある。たとえば、AP 105のようなデバイスは、STA 110に後続のMUデータフレームを送信するよう指示する制御フレームを、複数のSTA 110に送信することができる。いくつかの事例において、非マルチユーザ対応デバイスは、制御フレームを復号することができない場合があり、EIFS期間に入り得る。EIFSが満了した後、デバイスはMU送信を検出することができない場合があり、チャネルアクセスをめぐって競合する場合があり、それによって、MU送信と干渉する。これによって、ワイヤレスネットワークの全体的なスループットおよび信頼性が低減する場合がある。
【００４２】
したがって、ネットワークは、MU送信をサポートし、MU動作を保護する継続時間を非マルチユーザ対応デバイスに通信するために、追加の競合ベースのパラメータを利用することができる。たとえば、AP 105のようなデバイスは、共有スペクトルの部分帯域を確保するための第1のメッセージを送信することができる。第1のメッセージは複数のSTA 110にアドレス指定することができ、アドレス指定されたSTA 110は各々、第2のメッセージによって第1のメッセージに応答することができる。アドレス指定されていないSTA 110は、第1のメッセージを受信し、指示されている継続時間にわたってチャネルにアクセスするのを保留することができる。第2のメッセージもまた、指示される継続時間にわたってチャネルを確保するために使用することができ、加えて、AP 105に対するメッセージと関連付けられるSTA 110を識別することができる。いくつかの事例において、第2のメッセージは、第1のメッセージを逃した、アドレス指定されていないSTA 110によって受信することができる。これによって、媒体にアクセスするように試行し得るSTA 110の数を低減することができる。
【００４３】
図2は、本開示の様々な態様による、WLANにおいて通信を保護するためのワイヤレス通信サブシステム200の一例を示す図である。ワイヤレス通信サブシステム200は、STA 110-bと、STA 110-cと、STA 110-dと、AP 105-aとを含むことができ、これらは、図1を参照して上述したSTA 110またはAP 105の例であってもよい。AP 105-a、STA 110-b、110-c、および110-dは、STA 110がカバレージエリア125-a内にあるときに、通信リンク115を介して互いに通信することができる。AP 105-a、STA 110-bおよびSTA 110-cは、マルチユーザ(MU)対応デバイスであり得、一方で、STA 110-dは、MU動作をサポートしないものであり得る。明瞭にするために、STA 110-dは、標準デバイスと呼ばれる場合があり、一方で、AP 105-a、STA 110-b、およびSTA 110-cは、拡張型デバイスと呼ばれる場合がある。
【００４４】
STA 110-b、STA 110-c、およびSTA 110-dは、上記で言及したEDCAのような競合プロトコルを使用して、チャネルに対するアクセスをめぐって競合し得る。いくつかの事例において、AP 105-aは、STA 110-bおよびSTA 110-cを含むいくつかの拡張型STA 110が、送信するためのアップリンクデータを有すると判定し得る。したがって、AP 105-aは、ダウンリンク制御フレーム(たとえば、トリガフレーム、MU-RTSフレームなど)において、拡張型STA 110をMUアップリンク送信(たとえば、MU PPDU)に対してスケジューリングすることができる。ダウンリンク制御フレームは、さらに、STA 110-dのような標準STA 110、および、スケジューリングされていない拡張型STA 110に、後続のMUデータ送信および/またはダウンリンク確認応答フレームを通じて延長する第1の継続時間にわたってチャネルへのアクセスを保留するよう命令することができる。STA 110-bおよびSTA 110-cは、チャネルを確保することと、AP 105-aに制御フレームを送ったSTA 110を識別することという二重の目的を果たすアップリンク制御フレーム(たとえば、CTSフレーム、無効データユニット(NDU)、MU PPDUなど)によって制御フレームに応答することができる。STA 110-dのような標準STA 110もまた、アップリンク制御フレームを受信し、第2のチャネルアクセス保留継続時間を決定することができる。いくつかの事例において、ダウンリンク制御フレームを逃した標準STA 110および拡張型STA 110は、アップリンク制御フレームを受信または検出し、チャネルアクセスを保留することができる。アップリンク制御フレームは、STA 110-bおよびSTA 110-cによって、直交化方法を使用して送信することができる。直交化方法は、異なるSTA 110から送信されるCTSを区別するために使用することができ、AP 105-aは、これらの方法を使用して、STA 110-bおよびSTA 110-cを、それらのそれぞれのアップリンク制御フレームと相関付けることができる。
【００４５】
一例において、AP 105-aは、ダウンリンクトリガフレームによって、アップリンク制御フレームに応答することができる。ダウンリンクトリガフレームは、アップリンク制御フレームにおいて識別されるSTA 110に基づいて生成することができ、チャネルを確保するため、および/または、アップリンクリソースを割り振るために使用することができる。たとえば、ダウンリンクトリガフレームは、識別されているSTA 110-bおよびSTA 110-cをアドレス指定し、他の拡張型STA 110に、チャネルへのアクセスを保留するように通知するように修正することができる。追加または代替として、AP 105-aは、いずれの拡張型STA 110がダウンリンク制御フレームに応答したかの識別に基づいて、後続のアップリンク送信(たとえば、MU PPDU)のためのリソースをSTA 110-bおよびSTA 110-cに割り振ることができる。STA 110-bおよびSTA 110-cは、ダウンリンクトリガフレーム後にアップリンク送信を送信することができ、それに対して、AP 105-aは、ACKフレーム(たとえば、MUブロックACK(B-ACK)、MU OFDM B-ACKなど)によって応答することができる。別の例において、AP 105-aは、ダウンリンクトリガフレームを送るのを控えることができ、STA 110-bおよびSTA 110-cは、アップリンク制御フレームの直後にアップリンク送信を送信することができる。その後、AP 105-aは、ACKフレームによって、アップリンク送信に応答することができる。
【００４６】
図3Aは、本開示の様々な態様による、WLANにおいて通信を保護するためのフレーム交換300-aの一例を示す。フレーム交換300-aは、図1〜図2を参照して上で説明した複数のSTA 110とAP 105との間の送信の態様を示し得る。フレーム交換300-aは、トリガフレーム305と、CTSフレーム310と、MU PPDU 315と、ACKフレーム320とを含むことができる。
【００４７】
一例において、AP 105は、STA 110の選択されるセットが、アップリンクデータを送信する予定であると判定することができる。AP 105は、共有チャネルを介してSTA 110のそのセットにアドレス指定されているトリガフレーム305を送信することができる。トリガフレーム305は、他の拡張型STA 110および標準STA 110が、フレーム交換300-aと関連付けられる少なくとも1つの後続の送信(たとえば、CTSフレーム310、MU PPDU 315、およびACKフレーム320)を含む継続時間330にわたってチャネルを介して送信するのを防止するための保護メカニズム(たとえば、NAV、TXOP、EIFS)を含むことができる。トリガフレーム305は、加えて、下記に説明する直交化方法をサポートするためのシグナリングを含むことができる。トリガフレーム305を受信する拡張型STA 110は各々、CTSフレーム310によって応答することができる。いくつかの事例において、STA 110は、各STA 110の識別情報をAP 105に提供するために、直交化方法(後述)を使用してCTSフレーム310を送信することができる。CTSフレーム310もまた、保護メカニズムを利用して、少なくとも1つの後続の送信を含む、別の継続時間330-aのためにチャネルを確保することができる。これによって、トリガフレーム305を検出または復号することができなかった「隠れ」強化型または標準STA 110に対する保護を可能にすることができる。いくつかの事例において、STA 110は、CTSフレーム310の直後にアップリンクMU PPDU 315を送信することができる。AP 105は、CTSフレーム310およびMU PPDU 315を受信し、利用される直交化方法に基づいて、MU PPDU 315内の何のデータがいずれの送信STA 110に属するかを判定することができる。AP 105はその後、受信MU PPDU 315およびCTSフレーム310に基づいて、マルチユーザACKフレーム320を生成することができる。
【００４８】
他の直交化技法は、スクランブラシードインデックスを送ることを含むことができる。たとえば、AP 105は、スクランブラシードインデックスを含むトリガフレーム305(たとえば、MACトリガフレーム、PHYトリガフレーム、MU-RTSフレームなど)を送信することができる。スクランブラシードインデックスを受信するSTA 110は、インデックスを使用して、事前に割り当てられたスクランブラシードと関連付けられる固有のCTSフレーム310を生成および送信することができる。いくつかの事例において、CTSフレーム310は、20MHz帯域幅チャネルを使用して送信することができ、または、拡張型STA 110が20MHzを超える帯域幅を割り振られている場合には、複数の20MHzチャネルにわたって二重化することができる。CTSフレーム310は、標準STA 110と拡張型STA 110の両方によって検出可能および/または復号可能であり得、これらのSTA 110に、所与の継続時間にわたってチャネルにアクセスするのを控えるよう命令することができる。AP 105は、受信スクランブラシードに基づいてCTSフレーム310を受信し、分離して、いずれのCTSフレーム310がいずれの拡張型STA 110に対応するかを判定することができる。
【００４９】
別の直交化技法は、アップリンクリソースユニットインデックスを送ることを含むことができる。たとえば、AP 105は、アップリンクリソースユニットインデックスを含むトリガフレーム305を送信することができる。アップリンクリソースユニットインデックスを受信するSTA 110は各々、アップリンクリソース割振りを決定することができる。いくつかの事例において、各割り振られたアップリンクリソースユニットには、トリガフレーム305内にSTA 110が現われる順序に基づいて、インデックスを割り当てることができる。STA 110はその後、割り振られたアップリンクリソースを使用してCTSフレーム310を送信することができる。他のSTAは、CTSフレーム310を検出または復号し、所与の継続時間にわたってチャネルにアクセスするのを控えることができる。CTSフレーム310は、マルチユーザPPDUとして送ることができ、標準STA 110にとって復号可能なプリアンブルを含むことができる。いくつかの事例において、STA 110は、電力制御に対する感受性を低減するために、最低の変調符号化方式(MCS)インデックス値を使用してCTSフレーム310を送信することができる。AP 105はその後、いずれのアップリンクリソースが占有されているかの識別に基づいて、いずれのSTA 110が後続のMU PPDU 315においてデータを送信したかを判定することができる。
【００５０】
また別の直交化技法は、アップリンクチャネルインデックスを送ることを含むことができる。たとえば、AP 105は、アップリンクチャネルインデックスを含むトリガフレーム305を送信することができる。アップリンクチャネルインデックスを受信するSTA 110は各々、CTSフレーム310のうちの1つを送信するための専用チャネル帯域幅を決定することができる。たとえば、アップリンクチャネルインデックスは、各受信STA 110に20 MHz帯域幅を割り振ることができ、STA 110は各々、割り振られた帯域幅を使用してCTSフレーム310を送信することができる。CTSフレーム310の受信アドレス(RA)フィールドは、送信STA 110のMACアドレスを含むことができる。いくつかの事例において、AP 105は、カバレージエリアの縁部付近のSTA 110にトリガフレーム305を送ることができる。これによって、後続のCTSフレーム310を検出または復号するSTA 110の数を増大することができ、向上した保護を可能にすることができる。AP 105はその後、いずれのチャネル帯域幅が利用されているかの識別に基づいて、いずれのSTA 110がMU PPDU 315においてデータを送信したかを判定することができる。
【００５１】
図3Bは、本開示の様々な態様による、WLANにおいて通信を保護するためのフレーム交換300-bの一例を示す。フレーム交換300-bは、図1〜図3Aを参照して上で説明した複数のSTA 110とAP 105との間の送信の態様を示し得る。フレーム交換300-bは、トリガフレーム305-aと、CTSフレーム310-aと、MU PPDU 315-aと、ACKフレーム320-aと、MU-RTSフレーム325とを含むことができる。
【００５２】
一例において、AP 105は、STA 110の選択されるセットが、アップリンクデータを送信する予定であると判定することができる。AP 105は、共有チャネルを介してSTA 110のそのセットにアドレス指定されている、MU-RTSフレーム325のようなトリガフレームを送信することができる。MU-RTSフレーム325は、他の拡張型STA 110および標準STA 110が、フレーム交換300-bと関連付けられる少なくとも1つの後続の送信を含む継続時間330-bにわたってチャネルを介して送信するのを防止するための保護メカニズム(たとえば、NAV、TXOP、EIFS)を含むことができる。MU-RTSフレーム325は、加えて、上述した直交化方法のいずれかをサポートするシグナリング(たとえば、スクランブラシードインデックス、アップリンクリソースユニットインデックス、またはアップリンクチャネルインデックス)を含むことができる。MU-RTSフレーム325を受信する拡張型STA 110は各々、CTSフレーム310によって応答することができる。いくつかの事例において、STA 110は、受信MU-RTSフレーム325に基づいて、直交化方法を使用してCTSフレーム310を送信することができる。CTSフレーム310もまた、保護メカニズムを利用して、少なくとも1つの後続の送信を含む、別の継続時間330-cのためにチャネルを確保することができる。いくつかの事例において、AP 105は、受信CTSフレーム310-aに応答してトリガフレーム305-aを送信することができる。AP 105-aは、受信CTSフレーム310-aに基づいてトリガフレーム305-aを修正することができる。たとえば、トリガフレーム305-aは、CTSフレーム310-aを送信したSTA 110のみをアドレス指定するように修正することができる。AP 105は、加えて、受信CTSフレーム310-aに基づいて元々のリソース割振りを修正することができる。たとえば、STA 110の選択されるセットのうちのサブセットがMU-RTSフレーム325に応答した場合、AP 105は、トリガフレームを、STA 110のそのサブセットにアドレス指定することができる。AP 105は、加えて、応答しているSTA 110にアップリンクリソースを再割振りすることができ、または、ランダムアップリンクMUアクセスに応答しなかったSTA 110向けに意図されていたリソースを割り振ることができる。いくつかの事例において、AP 105は、AP 105からのSTA 110の距離に基づいて、選択されるSTA 110のサブセットにMU-RTSフレーム325をアドレス指定することができる。トリガフレーム305-aは、継続時間330-cの間に送信していることができる。トリガフレーム305-aにおいてアドレス指定されているSTA 110は、後続のアップリンクMU PPDU 315-aを送信することができる。MU PPDU 315-aは、保護メカニズムを使用して、少なくとも1つの後続の送信を含む別の継続時間330-dにわたってチャネルを確保することができる。AP 105は、MU PPDU 315-aを受信することができ、受信MU PPDU 315-aおよびCTSフレーム310-aに基づいてマルチユーザACK 320-aを生成することができる。
【００５３】
図3Cは、本開示の様々な態様による、WLANにおいて通信を保護するためのフレーム交換300-cの一例を示す。フレーム交換300-cは、図1〜図3Bを参照して上で説明した複数のSTA 110とAP 105との間の送信の態様を示し得る。フレーム交換300-cは、トリガフレーム305-bと、MU PPDU 315-bと、ACKフレーム320-bと、CTS-to-Selfフレーム335とを含むことができる。
【００５４】
一例において、AP 105は、STA 110の選択されるセットが、アップリンクデータを送信する予定であると判定することができる。AP 105は、共有チャネルを介して、継続時間フィールドを含むCTS-to-Selfフレーム335を送信することができる。CTS-to-Selfフレーム335を復号する標準および拡張型STA 110は、継続時間フィールドと関連付けられる期間にわたってチャネルにアクセスするのを控えることができ、一方で、CTS-to-Selfフレーム335を検出するが復号はしないSTA 110は、EIFS期間に入り得る。継続時間フィールドは、フレーム交換300-cと関連付けられるその後の送信のうちの1つを保護する継続時間330-eを割り振ることができる。AP 105は、トリガフレーム305-bによってCTS-to-Selfフレーム335に従うことができる。トリガフレーム305-bは、STA 110にアドレス指定することができ、それらのSTA 110の黙示的なコンテンションフリーエンドとして機能することができる。トリガフレーム305-bは、後続のMU PPDU 315-bに関するアドレス指定されているSTA 110に対するリソース割振りを含むことができる。トリガフレーム305-bがMUランダムアクセス期間の開始をマークする場合、トリガフレーム305-bは、トリガフレーム305-bを受信する任意のSTA 110の黙示的なコンテンションフリーエンドをマークすることができる。トリガフレーム305-bは、加えて、少なくとも1つの後続の送信を保護するためのメカニズムを含むことができる。トリガフレーム305-bの受信に成功しているSTA 110は、受信トリガフレーム305-bに基づいてMU PPDU 315-bを送信することができる。AP 105は、MU PPDU 315-bを受信することができ、受信MU PPDU 315-bに基づいてマルチユーザACK 320-aを生成することができる。MU PPDU 315-bは、保護メカニズムを利用して、少なくとも1つの後続の送信を含む別の継続時間330-fのためにチャネルを確保することができる。
【００５５】
図3Dは、本開示の様々な態様による、WLANにおいて通信を保護するためのフレーム交換300-dの一例を示す。フレーム交換300-dは、図1〜図3Cを参照して上で説明した複数のSTA 110とAP 105との間の送信の態様を示し得る。フレーム交換300-dは、トリガフレーム305-cと、CTSフレーム310-bと、MU PPDU 315-cと、ACKフレーム320-cと、CTS-to-Selfフレーム335-aとを含むことができる。
【００５６】
一例において、AP 105は、STA 110の選択されるセットが、アップリンクデータを送信する予定であると判定することができる。AP 105は、継続時間の間に共有チャネルを介してCTS-to-Selfフレーム335-aを送信することができる。CTS-to-Selfフレーム335-aを受信するSTA 110は、フレーム交換300-dと関連付けられる後続の送信のうちの少なくとも1つを保護する所与の継続時間330-gにわたって控えることができる。AP 105とSTA 110との間のフレーム交換300-dはその後、図3Aを参照して上述したように進行することができる。たとえば、AP 105は、共有チャネルを介してSTA 110のそのセットにアドレス指定されているトリガフレーム305-cを送信することができる。トリガフレーム305-cは、他の拡張型STA 110および標準STA 110が、フレーム交換300-dと関連付けられる少なくとも1つの後続の送信(たとえば、CTSフレーム310-b、MU PPDU 315-c、およびACKフレーム320-c)を含む継続時間330-hにわたってチャネルを介して送信するのを防止するための保護メカニズム(たとえば、NAV、TXOP、EIFS)を含むことができる。CTSフレーム310-bもまた、保護メカニズムを利用して、少なくとも1つの後続の送信を含む別の継続時間330-iのためにチャネルを確保することができる。これによって、トリガフレーム305-cを検出または復号することができなかった「隠れ」拡張型または標準STA 110に対する保護を可能にすることができる。いくつかの事例において、STA 110は、CTSフレーム310-bの直後にアップリンクMU PPDU 315-cを送信することができる。AP 105は、CTSフレーム310-bおよびMU PPDU 315-cを受信し、利用される直交化方法に基づいて、MU PPDU 315-c内の何のデータがいずれの送信STA 110に属するかを判定することができる。AP 105はその後、受信MU PPDU 315-cおよびCTSフレーム310-bに基づいて、マルチユーザACKフレーム320-cを生成することができる。
【００５７】
図4Aは、本開示の様々な態様による、WLANにおいて通信を保護するためのMACトリガフレーム400-aおよびPHYトリガフレーム400-bの一例を示す。MACトリガフレーム400-aおよびPHYトリガフレーム400-bは、図1〜図3Dを参照して上述したように、複数のSTA 110とAP 105との間の送信中に使用することができ、図3A〜図3Dを参照して上述したような、トリガフレーム305の一例であり得る。MACトリガフレーム400-aは、フレーム制御フィールド405と、継続時間フィールド410と、受信機アドレス(RA)415と、フレームチェックシーケンス(FCS)420とを含むことができる。MACトリガフレーム400-aは、継続時間フィールド410によるNAV保護を含むことができる。MACトリガフレーム400-aを受信および復号するSTA 110は、継続時間フィールド410を使用して、共有チャネルにアクセスするのを控える期間を決定することができる。
【００５８】
MACトリガフレーム400-aは、PHYトリガフレーム400-b内にカプセル化することができる。PHYトリガフレーム400-bは、訓練フィールド425と、信号フィールド430と、MACトリガフレーム400-aとを含むことができる。PHYトリガフレーム400-bを受信するが、MACトリガフレーム400-aの復号に成功しないSTA 110は、EIFS期間に入り得、その間、STA 110は、共有チャネルにアクセスするのを控える。いくつかの事例において、PHYトリガフレーム400-bは、加えて、SIGフィールド内にTXOP保護を含むことができる。たとえば、SIGフィールドは、PHYトリガフレーム400-bの継続時間よりも長いTXOP継続時間を示すレガシーSIG(L-SIG)フィールドを含むことができる。L-SIGフィールドは、標準STA 110と拡張型STA 110の両方によって同様に検出可能であり得る。別の例において、PHYトリガフレーム400-bは、複製L-SIGフィールド内で、または、拡張型STA 110によって検出可能な高効率(HE-SIG)フィールドを使用して、TXOP保護を示すことができる。
【００５９】
図4Bは、本開示の様々な態様による、WLANにおいて通信を保護するためのMU-RTSトリガフレーム400-cの一例を示す。MU-RTSトリガフレーム400-cは、図1〜図4Aを参照して上で説明した複数のSTA 110とAP 105との間の送信中に使用することができる。MU-RTSトリガフレーム400-cは、リソース割振りインデックス435と、シードインデックス440と、アップリンクチャネルインデックス450と、MU-RTS 455とを含むことができる。一例において、MU-RTS 455は、フレーム制御フィールド405-aと、継続時間フィールド410-aと、複数RA(M-RA)フィールド415-aと、FCSフィールド420-aとを含むことができる。
【００６０】
MU-RTSトリガフレーム400-cを受信および復号するアドレス指定されていないSTA 110は、継続時間フィールド410-aを使用して、チャネルアクセス試行を控えるための継続時間を決定することができ、一方で、M-RAフィールド415-aを使用してアドレス指定されているSTA 110は、CTSフレームによってMU-RTSに応答することができる。MU-RTS 455を受信する、アドレス指定されているSTA 110は、図3A〜図3Dにおいて上述した直交化方法を使用して、リソース割振りインデックス435、シードインデックス440、およびアップリンクチャネルインデックス450に基づいてCTSを送信することができる。
【００６１】
図5は、本開示の様々な態様による、WLANにおいて通信を保護するための技法のために構成されているワイヤレスデバイス500のブロック図を示す。ワイヤレスデバイス500は、図1〜図4を参照しながら説明したSTA 110またはAP 105の態様の一例であり得る。ワイヤレスデバイス500は、受信機505、MU保護モジュール510、および送信機515を含むことができる。ワイヤレスデバイス500は、プロセッサも含み得る。これらの構成要素の各々は、互いと通信することができる。
【００６２】
受信機505は、パケット、ユーザデータ、または様々な情報チャネルと関連付けられる制御情報(たとえば、制御チャネル、データチャネル、および、WLANにおいて通信を保護するための技法に関連する情報など)などの情報を受信し得る。情報は、MU保護モジュール510に、およびワイヤレスデバイス500の他の構成要素に渡され得る。いくつかの例において、AP 105のようなアクセスポイントが、受信機505を使用して、第1のメッセージに応答して複数のワイヤレスデバイスのうちのワイヤレスデバイスから第2のメッセージを受信することができ、第2のメッセージは、共有周波数スペクトル帯域のうちの部分帯域が、少なくとも1つのアップリンク送信のために確保されていることを示す。いくつかの事例において、受信機505は、共有周波数スペクトル帯域のうちの確保された部分帯域上で、識別されたワイヤレスデバイスからアップリンクデータを受信することができる。いくつかの例において、第2のメッセージを受信することは、スクランブラシードインデックスに少なくとも部分的に基づいて、ワイヤレスデバイスと関連付けられた、事前に割り当てられたスクランブラシードを受信することを含む。いくつかの例において、第2のメッセージは、アップリンクリソースユニットインデックスに少なくとも部分的に基づく周波数分割多重化メッセージである。いくつかの例において、第2のメッセージを受信することは、アップリンクチャネルインデックスに少なくとも部分的に基づいて、共有周波数スペクトル帯域のうちの第2の部分帯域上で第2のメッセージを受信することを含む。いくつかの例において、STA 110のようなワイヤレスデバイスが、受信機505を使用して、アクセスポイントから、共有周波数スペクトル帯域のうちの部分帯域を確保する第1のメッセージを受信することができる。いくつかの例において、受信機505は、共有周波数スペクトル帯域のうちの部分帯域上でアップリンクデータを送信するためのトリガフレームをアクセスポイントから受信することができる。
【００６３】
MU保護モジュール510は、複数のワイヤレスデバイスに、少なくとも1つのアップリンク送信のために共有周波数スペクトル帯域のうちの部分帯域を確保するための第1のメッセージを送信するステップと、第1のメッセージに応答して、複数のワイヤレスデバイスのうちのワイヤレスデバイスから第2のメッセージを受信するステップであって、第2のメッセージは、共有周波数スペクトル帯域のうちの部分帯域が、少なくとも1つのアップリンク送信のために確保されていることを示す、受信するステップと、受信された第2のメッセージに少なくとも部分的に基づいて、ワイヤレスデバイスを識別するステップと、共有周波数スペクトル帯域の確保された部分帯域上で、識別されたワイヤレスデバイスからアップリンクデータを受信するステップとを行うことができる。
【００６４】
送信機515は、ワイヤレスデバイス500の他のコンポーネントから受信された信号を送信し得る。いくつかの例では、送信機515は、トランシーバモジュール内で受信機505とコロケートされ得る。送信機515は、単一のアンテナを含んでもよいし、または複数のアンテナを含んでもよい。いくつかの例において、AP 105のようなアクセスポイントが、送信機515を使用して、複数のワイヤレスデバイスに、少なくとも1つのアップリンク送信のために共有周波数スペクトル帯域のうちの部分帯域を確保するための第1のメッセージを送信することができる。いくつかの例において、送信機515は、識別されたワイヤレスデバイスにトリガフレームを送信することができ、トリガフレームは、ワイヤレスデバイスに、共有周波数スペクトル帯域のうちの部分帯域上でアップリンクデータを送信するよう指示する。いくつかの例において、STA 110のようなワイヤレスデバイスが、送信機515を使用して、共有周波数スペクトル帯域のうちの部分帯域上で、アクセスポイントにアップリンクデータを送信することができる。いくつかの例において第2のメッセージを送信するステップは、スクランブラシードインデックスに少なくとも部分的に基づいて、共有周波数スペクトル帯域のうちの部分帯域上で、ワイヤレスデバイスと関連付けられた、事前に割り当てられたスクランブラシードを送信するステップを含む。
【００６５】
図6は、本開示の様々な態様による、WLANにおいて通信を保護するための技法を実施するためのワイヤレスデバイス600のブロック図を示す。ワイヤレスデバイス600は、図1〜図5を参照しながら説明したワイヤレスデバイス500、STA 110、またはAP 105の態様の一例であり得る。ワイヤレスデバイス600は、受信機505-a、MU保護モジュール510-a、および送信機515-aを含み得る。ワイヤレスデバイス600は、プロセッサも含み得る。これらの構成要素の各々は、互いと通信することができる。MU保護モジュール510-aはまた、チャネルモニタ605、およびデバイス識別子610を含むことができる。
【００６６】
受信機505-aは、MU保護モジュール510-aに、およびワイヤレスデバイス600の他の構成要素に渡され得る情報を受信し得る。MU保護モジュール510-aは、図5を参照しながら説明した動作を実行し得る。送信機515-aは、ワイヤレスデバイス600の他の構成要素から受信された信号を送信し得る。
【００６７】
チャネルモニタ605は第1のメッセージに応答して複数のワイヤレスデバイスのうちのワイヤレスデバイスから第2のメッセージを受信することができ、第2のメッセージは、図2〜図4を参照して説明したように、共有周波数スペクトル帯域のうちの部分帯域が、少なくとも1つのアップリンク送信のために確保されていることを示す。いくつかの例において、第1のメッセージ、または第2のメッセージ、またはトリガメッセージ、またはそれらの組合せは、少なくともアップリンクデータ送信をカバーする継続時間を示す継続時間フィールドを含む。いくつかの例において、第1のメッセージ、または第2のメッセージ、またはトリガメッセージ、またはそれらの組合せは、少なくともアップリンクデータ送信、および、アップリンクデータ送信の確認応答メッセージの後続のダウンリンク送信をカバーする継続時間を示す継続時間フィールドを含む。
【００６８】
デバイス識別子610は、図2〜図4を参照して説明したように、受信された第2のメッセージに少なくとも部分的に基づいて、ワイヤレスデバイスを識別することができる。いくつかの例において、ワイヤレスデバイスの識別は、受信された、事前に割り当てられたスクランブラシードに少なくとも部分的に基づくことができる。いくつかの例において、ワイヤレスデバイスの識別は、ワイヤレスデバイスと関連付けられたアップリンクリソースの監視に少なくとも部分的に基づくことができる。いくつかの例において、ワイヤレスデバイスの識別は、共有周波数スペクトル帯域のうちの第2の部分帯域の監視に少なくとも部分的に基づくことができる。
【００６９】
図7は、本開示の様々な態様による、WLANにおいて通信を保護するための技法のためのワイヤレスデバイス500またはワイヤレスデバイス600の構成要素であり得る、MU保護モジュール510-bのブロック図700を示す。MU保護モジュール510-bは、図5〜図6を参照しながら説明したMU保護モジュール510の態様の一例であり得る。MU保護モジュール510-bは、チャネルモニタ605-aと、デバイス識別子610-aとを含み得る。これらのモジュールの各々は、図6を参照して説明された機能を実行することができる。MU保護モジュール510-bはまた、通信マネージャ705、リソースアロケータ710、およびMU制御ユニット715を含むことができる。
【００７０】
通信マネージャ705は、図2〜図4を参照して説明したように、第1のメッセージ、第2のメッセージ、および/またはトリガフレームが、少なくとも1つの後続のアップリンク送信をカバーする継続時間を示す継続時間フィールドを含むように、構成することができる。いくつかの例において、第1のメッセージ、第2のメッセージ、および/またはトリガフレームは、少なくとも1つの後続のアップリンク送信、および、少なくとも1つの後続のアップリンク送信の少なくとも1つの後続のダウンリンク確認応答メッセージをカバーする継続時間を示す継続時間フィールドを含む。いくつかの例において、第1のメッセージは複数のワイヤレスデバイスにアドレス指定することができ、トリガフレームは、複数のワイヤレスデバイスのうちの識別されたサブセットにアドレス指定することができる。通信マネージャ705はまた、ワイヤレスデバイスの識別されたサブセットに、アップリンクリソースを割り振ることができる。いくつかの例において、トリガフレームは、媒体アクセス制御(MAC)トリガフレームまたは物理層(PHY)トリガフレームを含む。いくつかの例において、MACトリガフレームは、ネットワーク割振りベクトル(NAV)フィールドを含む。いくつかの例において、PHYトリガフレームは、高効率信号フィールド(HE-SIG)または複製レガシー信号フィールド(L-SIG)を含む送信機会(TXOP)フィールドを含む。いくつかの例において、第1のメッセージは、マルチユーザ(MU)送信要求(RTS)フレームを含み、第2のメッセージは、送信可(CTS)フレームを含む。
【００７１】
リソースアロケータ710は、図2〜図4を参照して説明したように、ワイヤレスデバイスからの受信された第2のメッセージに少なくとも部分的に基づいて、識別されたワイヤレスデバイスにアップリンクリソースを割り振ることができる。
【００７２】
MU制御ユニット715は、図2〜図4を参照して説明したように、第1のメッセージを送信するステップが、共有周波数スペクトル帯域のうちの部分帯域上でスクランブラシードインデックスを送信するステップを含むように、構成することができる。いくつかの例において、第1のメッセージを送信するステップは、共有周波数スペクトル帯域のうちの部分帯域上で、アップリンクリソースユニットインデックスを送信するステップを含む。いくつかの例において、第1のメッセージを送信するステップは、共有周波数スペクトル帯域のうちの第1の部分帯域を介して、アップリンクチャネルインデックスを送信するステップを含む。MU制御ユニット715はまた、第1のメッセージに応答して第2のメッセージを送信することもでき、第2のメッセージは、共有周波数スペクトル帯域のうちの部分帯域が確保されていることを示し、ワイヤレスデバイスの識別情報を含む。MU制御ユニット715はまた、アクセスポイントへの第2のメッセージの送信に少なくとも部分的に基づいて、アクセスポイントからアップリンクリソース割振りを受信することができる。いくつかの例において、第1のメッセージを受信するステップは、共有周波数スペクトル帯域のうちの部分帯域上で、スクランブラシードインデックスを受信するステップを含む。いくつかの例において、第1のメッセージを受信するステップは、共有周波数スペクトル帯域のうちの部分帯域上で、アップリンクリソースユニットインデックスを受信するステップを含む。
【００７３】
図8は、本開示の様々な態様による、WLANにおいて通信を保護するための技法のために構成されているSTA 110-eを含むシステム800の図を示す。システム800は、図1、図2および図5〜図7を参照して説明した、ワイヤレスデバイス500、ワイヤレスデバイス600、またはSTA 110の例であり得るSTA 110-eを含み得る。STA 110-eは、図5〜図7を参照して説明したMU保護モジュール510の一例とすることができるMU保護モジュール810を含み得る。STA 110-eはまた、MU通信マネージャ825を含むことができる。STA 110-eはまた、通信を送信するための構成要素および通信を受信するための構成要素を含む、双方向ボイスおよびデータ通信のための構成要素を含み得る。たとえば、STA 110-eは、AP 105またはSTA 110-fと双方向に通信することができる。
【００７４】
STA 110-eはまた、各々が、直接的または間接的に(たとえば、バス845を介して)互いと通信し得る、プロセッサ805、(ソフトウェア(SW)820を含む)メモリ815、送受信機835、および1つまたは複数のアンテナ840を含み得る。送受信機835は、前述のように、アンテナ840または有線もしくはワイヤレスリンクを介して、1つまたは複数のネットワークと双方向に通信することができる。たとえば、送受信機835は、AP 105または別のSTA 110と双方向に通信し得る。トランシーバ835は、パケットを変調し、変調されたパケットを送信のためにアンテナ840に供給し、かつアンテナ840から受信されたパケットを復調するためのモデムを含み得る。STA 110-eは単一のアンテナ840を含んでよいが、STA 110-eは、複数のワイヤレス送信を同時に送信または受信することができる複数のアンテナ840を有してもよい。MU通信マネージャ825は、いずれの直交化技法を使用すべきかを識別するために使用することができる。
【００７５】
メモリ815は、ランダムアクセスメモリ(RAM)および読み出し専用メモリ(ROM)を含んでもよい。メモリ815は、実行されると、本明細書で説明する様々な機能(たとえば、WLANにおいて通信を保護するための技法など)をプロセッサ805に実行させる命令を含む、コンピュータ可読、コンピュータ実行可能ソフトウェア/ファームウェアコード820を記憶し得る。代替として、ソフトウェア/ファームウェアコード820は、プロセッサ805によって直接的に実行可能ではなく、(たとえば、コンパイルされ、実行されるとき)本明細書で説明する機能をコンピュータに実施させ得る。プロセッサ805は、インテリジェントハードウェアデバイス、たとえば、中央処理ユニット(CPU)、マイクロコントローラ、特定用途向け集積回路(ASIC)などを含んでもよい。
【００７６】
図9は、本開示の様々な態様による、WLANにおいて通信を保護するための技法のために構成されているAP 105-cを含むシステム900の図を示す。システム900は、図1、図2および図6〜図8を参照して説明した、ワイヤレスデバイス500、ワイヤレスデバイス600、またはAP 105の例であり得るAP 105-cを含み得る。AP 105-cは、図6〜図8を参照して説明したAP MU保護モジュール510、810の一例とすることができるAP MU保護モジュール910を含み得る。AP 105-cはまた、通信を送信するための構成要素および通信を受信するための構成要素を含む、双方向音声およびデータ通信のための構成要素を含み得る。たとえば、AP 105-cは、STA 110-gまたはSTA 110-hと双方向に通信することができる。
【００７７】
いくつかの場合には、AP 105-cは、1つまたは複数のワイヤードバックホールリンクを有し得る。AP 105-cは、コアネットワーク950へのワイヤードバックホールリンク(たとえば、S1インターフェースなど)を有し得る。AP 105の各々は、同じまたは異なるワイヤレス通信技術を使用して、STA 110と通信し得る。いくつかの例では、AP通信モジュール925は、AP 105のうちのいくつかの間の通信を行うために、ロングタームエボリューション(LTE)/LTE-Aワイヤレス通信ネットワーク技術内のX2インターフェースを提供し得る。いくつかの場合には、AP 105-cは、ネットワーク通信モジュール930を介してコアネットワーク950と通信し得る。
【００７８】
AP 105-cは、各々が、直接または間接的に(たとえば、バスシステム945を通じて)互いに通信し得る、プロセッサ905、(ソフトウェア(SW)920を含む)メモリ915、送受信機935、およびアンテナ940を含み得る。送受信機935は、アンテナ940を介して、マルチモードデバイスであり得るSTA 110と双方向に通信するように構成され得る。送受信機935(またはAP 105-cの他の構成要素)はまた、アンテナ940を介して、1つまたは複数の他のAP(図示せず)と双方向に通信するように構成され得る。送受信機935は、パケットを変調し、変調されたパケットを送信のためにアンテナ940に提供し、かつアンテナ940から受信されたパケットを復調するように構成されるモデムを含み得る。AP 105-cは、各々が1つまたは複数の関連付けられたアンテナ940をもつ、複数の送受信機935を含み得る。送受信機は、図5の組み合わされた受信機505および送信機515の例であり得る。
【００７９】
メモリ915は、RAMおよびROMを含み得る。メモリ915はまた、実行されると、本明細書で説明する様々な機能(WLANにおいて通信を保護するための技法、カバレージ拡大技法の選択、呼処理、データベース管理、メッセージルーティングなど)をプロセッサ905に実行させるように構成される命令を含む、コンピュータ可読のコンピュータ実行可能ソフトウェアコード920を記憶し得る。代替として、ソフトウェア920は、プロセッサ905によって直接に実行可能ではないことがあり、たとえばコンパイルされ実行されると、コンピュータに本明細書で説明する機能を実行させるように構成され得る。プロセッサ905は、インテリジェントハードウェアデバイス、たとえば、CPU、マイクロコントローラ、ASICなどを含み得る。プロセッサ905は、エンコーダ、キュー処理モジュール、ベースバンドプロセッサ、無線ヘッドコントローラ、デジタル信号プロセッサ(DSP)などのような、様々な専用プロセッサを含み得る。
【００８０】
AP通信モジュール925は、他のAP 105との通信を管理することができる。いくつかの事例において、通信管理モジュールは、他のAP 105と協働してSTA 110との通信を制御するためのコントローラまたはスケジューラを含み得る。たとえば、AP通信モジュール925は、ビームフォーミングまたはジョイント送信などの様々な干渉軽減技法のために、STA 110への送信のためのスケジューリングを協調させ得る。
【００８１】
ワイヤレスデバイス500、ワイヤレスデバイス600、およびMU保護モジュール510-bの構成要素は、個別にまたは集合的に、適用可能な機能の一部またはすべてをハードウェアで実行するように適合される少なくとも1つのASICを用いて実装され得る。代替として、機能は、少なくとも1つのIC上で、1つまたは複数の他の処理ユニット(またはコア)によって実行され得る。他の例では、当技術分野で知られている任意の様式でプログラムされ得る、他のタイプの集積回路(たとえば、構造化/プラットフォームASIC、フィールドプログラマブルゲートアレイ(FPGA)、または別のセミカスタムIC)が使用され得る。各ユニットの機能はまた、全体的にまたは部分的に、1つまたは複数の汎用プロセッサまたは特定用途向けプロセッサによって実行されるようにフォーマットされた、メモリにおいて具現化された命令を用いて実装され得る。
【００８２】
図10は、本開示の様々な態様による、WLANにおいて通信を保護するための技法のための方法1000を示す流れ図を示す。方法1000の動作は、図1〜図9を参照しながら説明したAP 105のようなデバイスまたはその構成要素によって実施することができる。たとえば、方法1000の動作は、図5〜図8を参照して説明したようにMU保護モジュール510によって実行され得る。いくつかの例では、デバイスは、以下で説明する機能を実行するためにデバイスの機能要素を制御するようにコードのセットを実行し得る。追加または代替として、デバイスは、専用ハードウェアを使用して以下で説明する機能の態様を実行し得る。
【００８３】
ブロック1005において、デバイスは、図2〜図4を参照して説明したように、複数のワイヤレスデバイスに、少なくとも1つのアップリンク送信のために共有周波数スペクトル帯域のうちの部分帯域を確保するための第1のメッセージを送信することができる。いくつかの例では、ブロック1005の動作は、図5を参照して説明したように送信機515によって実行され得る。
【００８４】
ブロック1010において、デバイスは第1のメッセージに応答して複数のワイヤレスデバイスのうちのワイヤレスデバイスから第2のメッセージを受信することができ、第2のメッセージは、図2〜図4を参照して説明したように、共有周波数スペクトル帯域のうちの部分帯域が、少なくとも1つのアップリンク送信のために確保されていることを示す。いくつかの例では、ブロック1010の動作は、図6を参照して説明したように、チャネルモニタ605によって実行され得る。
【００８５】
ブロック1015において、デバイスは、図2〜図4を参照して説明したように、受信された第2のメッセージに少なくとも部分的に基づいて、ワイヤレスデバイスを識別することができる。いくつかの例では、ブロック1015の動作は、図6を参照して説明したように、デバイス識別子610によって実行され得る。
【００８６】
ブロック1020において、デバイスは、図2〜図4を参照して説明したように、共有周波数スペクトル帯域のうちの確保された部分帯域上で、識別されたワイヤレスデバイスからアップリンクデータを受信することができる。いくつかの例では、ブロック1020の動作は、図5を参照して説明したように受信機505によって実行され得る。
【００８７】
図11は、本開示の様々な態様による、WLANにおいて通信を保護するための技法のための方法1100を示す流れ図を示す。方法1100の動作は、図1〜図9を参照しながら説明したAP 105のようなデバイスまたはその構成要素によって実施することができる。たとえば、方法1100の動作は、図5〜図8を参照して説明したようにMU保護モジュール510によって実行され得る。いくつかの例では、デバイスは、以下で説明する機能を実行するためにデバイスの機能要素を制御するようにコードのセットを実行し得る。追加または代替として、デバイスは、専用ハードウェアを使用して以下で説明する機能の態様を実行し得る。方法1100はまた、図10の方法1000の態様を組み込むことができる。
【００８８】
ブロック1105において、デバイスは、図2〜図4を参照して説明したように、複数のワイヤレスデバイスに、少なくとも1つのアップリンク送信のために共有周波数スペクトル帯域のうちの部分帯域を確保するための第1のメッセージを送信することができる。いくつかの例において、第1のメッセージを送信するステップは、共有周波数スペクトル帯域のうちの部分帯域上で、スクランブラシードインデックスを送信するステップを含む。いくつかの例では、ブロック1105の動作は、図5を参照して説明したように送信機515によって実行され得る。
【００８９】
ブロック1110において、デバイスは第1のメッセージに応答して複数のワイヤレスデバイスのうちのワイヤレスデバイスから第2のメッセージを受信することができ、第2のメッセージは、図2〜図4を参照して説明したように、共有周波数スペクトル帯域のうちの部分帯域が、少なくとも1つのアップリンク送信のために確保されていることを示す。いくつかの事例において、第2のメッセージを受信することは、スクランブラシードインデックスに少なくとも部分的に基づいて、ワイヤレスデバイスと関連付けられた、事前に割り当てられたスクランブラシードを受信することを含む。いくつかの例では、ブロック1110の動作は、図6を参照して説明したように、チャネルモニタ605によって実行され得る。
【００９０】
ブロック1115において、デバイスは、図2〜図4を参照して説明したように、受信された第2のメッセージに少なくとも部分的に基づいて、ワイヤレスデバイスを識別することができる。いくつかの事例において、ワイヤレスデバイスの識別は、受信された、事前に割り当てられたスクランブラシードに少なくとも部分的に基づく。いくつかの例では、ブロック1115の動作は、図6を参照して説明したように、デバイス識別子610によって実行され得る。
【００９１】
ブロック1120において、デバイスは、図2〜図4を参照して説明したように、共有周波数スペクトル帯域のうちの確保された部分帯域上で、識別されたワイヤレスデバイスからアップリンクデータを受信することができる。いくつかの例では、ブロック1120の動作は、図5を参照して説明したように受信機505によって実行され得る。
【００９２】
図12は、本開示の様々な態様による、WLANにおいて通信を保護するための技法のための方法1200を示す流れ図を示す。方法1200の動作は、図1〜図9を参照して説明されたAP 105のようなデバイスまたはその構成要素によって実施することができる。たとえば、方法1200の動作は、図5〜図8を参照して説明したようにMU保護モジュール510によって実行され得る。いくつかの例では、デバイスは、以下で説明する機能を実行するためにデバイスの機能要素を制御するようにコードのセットを実行し得る。追加または代替として、デバイスは、専用ハードウェアを使用して以下で説明する機能の態様を実行し得る。方法1200はまた、図10〜図11の方法1000および1100の態様を組み込むことができる。
【００９３】
ブロック1205において、デバイスは、図2〜図4を参照して説明したように、複数のワイヤレスデバイスに、少なくとも1つのアップリンク送信のために共有周波数スペクトル帯域のうちの部分帯域を確保するための第1のメッセージを送信することができる。いくつかの事例において、第1のメッセージを送信するステップは、共有周波数スペクトル帯域のうちの部分帯域上で、アップリンクリソースユニットインデックスを送信するステップを含む。いくつかの例では、ブロック1205の動作は、図5を参照して説明したように送信機515によって実行され得る。
【００９４】
ブロック1210において、デバイスは第1のメッセージに応答して複数のワイヤレスデバイスのうちのワイヤレスデバイスから第2のメッセージを受信することができ、第2のメッセージは、図2〜図4を参照して説明したように、共有周波数スペクトル帯域のうちの部分帯域が、少なくとも1つのアップリンク送信のために確保されていることを示す。いくつかの事例において、第2のメッセージは、アップリンクリソースユニットインデックスに少なくとも部分的に基づく周波数分割多重化メッセージである。いくつかの例では、ブロック1210の動作は、図6を参照して説明したように、チャネルモニタ605によって実行され得る。
【００９５】
ブロック1215において、デバイスは、図2〜図4を参照して説明したように、受信された第2のメッセージに少なくとも部分的に基づいて、ワイヤレスデバイスを識別することができる。いくつかの事例において、ワイヤレスデバイスの識別は、ワイヤレスデバイスと関連付けられたアップリンクリソースの監視に少なくとも部分的に基づく。いくつかの例では、ブロック1215の動作は、図6を参照して説明したように、デバイス識別子610によって実行され得る。
【００９６】
ブロック1220において、デバイスは、図2〜図4を参照して説明したように、共有周波数スペクトル帯域のうちの確保された部分帯域上で、識別されたワイヤレスデバイスからアップリンクデータを受信することができる。いくつかの例では、ブロック1220の動作は、図5を参照して説明したように受信機505によって実行され得る。
【００９７】
図13は、本開示の様々な態様による、WLANにおいて通信を保護するための技法のための方法1300を示す流れ図を示す。方法1300の動作は、図1〜図9を参照して説明されたAP 105のようなデバイスまたはその構成要素によって実施することができる。たとえば、方法1300の動作は、図5〜図8を参照して説明したようにMU保護モジュール510によって実行され得る。いくつかの例では、デバイスは、以下で説明する機能を実行するためにデバイスの機能要素を制御するようにコードのセットを実行し得る。追加または代替として、デバイスは、専用ハードウェアを使用して以下で説明する機能の態様を実行し得る。方法1300はまた、図10〜図12の方法1000、1100、および1200の態様を組み込むことができる。
【００９８】
ブロック1305において、デバイスは、図2〜図4を参照して説明したように、複数のワイヤレスデバイスに、少なくとも1つのアップリンク送信のために共有周波数スペクトル帯域のうちの部分帯域を確保するための第1のメッセージを送信することができる。いくつかの事例において、第1のメッセージを送信するステップは、共有周波数スペクトル帯域のうちの第1の部分帯域を介して、アップリンクチャネルインデックスを送信するステップを含む。いくつかの例では、ブロック1305の動作は、図5を参照して説明したように送信機515によって実行され得る。
【００９９】
ブロック1310において、デバイスは第1のメッセージに応答して複数のワイヤレスデバイスのうちのワイヤレスデバイスから第2のメッセージを受信することができ、第2のメッセージは、図2〜図4を参照して説明したように、共有周波数スペクトル帯域のうちの部分帯域が、少なくとも1つのアップリンク送信のために確保されていることを示す。いくつかの事例において、第2のメッセージを受信することは、アップリンクチャネルインデックスに少なくとも部分的に基づいて、共有周波数スペクトル帯域のうちの第2の部分帯域上で第2のメッセージを受信することを含む。いくつかの例では、ブロック1310の動作は、図6を参照して説明したように、チャネルモニタ605によって実行され得る。
【０１００】
ブロック1315において、デバイスは、図2〜図4を参照して説明したように、受信された第2のメッセージに少なくとも部分的に基づいて、ワイヤレスデバイスを識別することができる。いくつかの事例において、ワイヤレスデバイスの識別は、共有周波数スペクトル帯域のうちの第2の部分帯域の監視に少なくとも部分的に基づく。いくつかの例では、ブロック1315の動作は、図6を参照して説明したように、デバイス識別子610によって実行され得る。
【０１０１】
ブロック1320において、デバイスは、図2〜図4を参照して説明したように、共有周波数スペクトル帯域のうちの確保された部分帯域上で、識別されたワイヤレスデバイスからアップリンクデータを受信することができる。いくつかの例では、ブロック1320の動作は、図5を参照して説明したように受信機505によって実行され得る。
【０１０２】
図14は、本開示の様々な態様による、WLANにおいて通信を保護するための技法のための方法1400を示す流れ図を示す。方法1400の動作は、図1〜図9を参照して説明されたSTA 110のようなデバイスまたはその構成要素によって実施することができる。たとえば、方法1400の動作は、図5〜図8を参照して説明したようにMU保護モジュール510によって実行され得る。いくつかの例では、デバイスは、以下で説明する機能を実行するためにデバイスの機能要素を制御するようにコードのセットを実行し得る。追加または代替として、デバイスは、専用ハードウェアを使用して以下で説明する機能の態様を実行し得る。方法1400はまた、図10〜図13の方法1000、1100、1200、および1300の態様を組み込むことができる。
【０１０３】
ブロック1405において、デバイスは、図2〜図4を参照して説明したように、共有周波数スペクトル帯域のうちの部分帯域を確保する第1のメッセージをアクセスポイントから受信することができる。いくつかの例では、ブロック1405の動作は、図5を参照して説明したように受信機505によって実行され得る。
【０１０４】
ブロック1410において、デバイスは、図2〜図4を参照して説明したように、第1のメッセージに応答して第2のメッセージを送信することができ、第2のメッセージは、共有周波数スペクトル帯域のうちの部分帯域が確保されていることを示し、ワイヤレスデバイスの識別情報を含む。いくつかの例では、ブロック1410の動作は、図7を参照して説明したように、MU制御ユニット715によって実行され得る。
【０１０５】
ブロック1415において、デバイスは、図2〜図4を参照して説明したように、共有周波数スペクトル帯域のうちの部分帯域上で、アクセスポイントにアップリンクデータを送信することができる。いくつかの例では、ブロック1415の動作は、図5を参照して説明したように送信機515によって実行され得る。
【０１０６】
したがって、方法1000、1100、1200、1300、および1400は、WLANにおいて通信を保護するための技法を提供することができる。方法1000、1100、1200、1300、および1400は、可能な実装形態について説明しており、動作およびステップは、他の実装形態が可能であるように並べ替えられるか、または別様に修正され得ることに留意されたい。いくつかの例では、方法1000、1100、1200、1300、および1400の2つ以上からの態様が組み合わされ得る。
【０１０７】
添付の図面に関して上に記載された詳細な説明は、例を説明しており、実装され得る、または特許請求の範囲内にあるすべての例を表すものではない。本明細書全体を通して使用される「例示的」という用語は、「例、事例、または実例として役立つ」を意味し、「好ましい」または「他の例よりも有利」を意味するものではない。詳細な説明は、記載された技法の理解を提供する目的のための具体的な詳細を含む。しかしながら、これらの技法は、これらの具体的な詳細を伴わずに実践され得る。場合によっては、本開示の概念を曖昧にするのを避けるために、周知の構造およびデバイスがブロック図の形で示される。
【０１０８】
情報および信号は、様々な異なる技術および技法のうちのいずれかを使用して表され得る。たとえば、上記の説明全体にわたって参照される場合があるデータ、命令、コマンド、情報、信号、ビット、記号、およびチップは、電圧、電流、電磁波、磁場もしくは磁性粒子、光場もしくは光学粒子、またはそれらの任意の組合せによって表されてもよい。
【０１０９】
本明細書の本開示に関して説明した様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであってもよいが、代替として、プロセッサは任意の従来のプロセッサ、コントローラ、マイクロコントローラ、または状態機械であってもよい。プロセッサは、コンピューティングデバイスの組合せ(たとえば、DSPとマイクロプロセッサとの組合せ、複数のマイクロプロセッサ、DSPコアと連携するマイクロプロセッサ、または任意の他のそのような構成)としても実装され得る。
【０１１０】
本明細書で説明する機能は、ハードウェア、プロセッサによって実行されるソフトウェア、ファームウェア、またはその任意の組合せにおいて実施され得る。プロセッサによって実行されるソフトウェアで実装される場合、機能は、命令またはコードとして、コンピュータ可読媒体上に記憶されるかまたはコンピュータ可読媒体を介して送信され得る。他の例および実装形態は、本開示および添付の特許請求の範囲の範囲内にある。たとえば、ソフトウェアの性質により、上記で説明した機能は、プロセッサによって実行されるソフトウェア、ハードウェア、ファームウェア、ハードワイヤリング、またはこれらのいずれかの組合せを使用して実装され得る。機能を実装する特徴はまた、機能の部分が異なる物理的ロケーションにおいて実装されるように分散されることを含めて、様々な位置に物理的に位置していてもよい。また、特許請求の範囲を含めて、本明細書で使用する場合、項目のリスト(たとえば、「のうちの少なくとも1つ」または「のうちの1つまたは複数」のような句で終わる項目のリスト)で使用される「または」は、たとえば、[A、B、またはCのうちの少なくとも1つ]のリストがAまたはBまたはCまたはABまたはACまたはBCまたはABC(すなわち、AおよびBおよびC)を意味するように、包含的リストを示す。
【０１１１】
コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用または専用コンピュータによってアクセス可能である任意の入手可能な媒体とすることができる。限定ではなく例として、非一時的コンピュータ可読媒体は、RAM、ROM、電気的消去可能プログラマブル読取り専用メモリ(EEPROM)、コンパクトディスク(CD)ROMもしくは他の光ディスクストレージ、磁気ディスクストレージもしくは他の磁気ストレージデバイス、または命令またはデータ構造の形態の所望のプログラムコード手段を搬送または記憶するために使用され得、汎用コンピュータもしくは専用コンピュータまたは汎用プロセッサもしくは専用プロセッサによってアクセスされ得る任意の他の非一時的媒体を含むことができる。さらに、任意の接続が、適正にコンピュータ可読媒体と称される。たとえば、ソフトウェアが、同軸ケーブル、光ファイバーケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク（登録商標）(disc)、光ディスク(disc)、デジタル多用途ディスク(disc)(DVD)、フロッピーディスク(disk)およびBlu-ray（登録商標）ディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【０１１２】
本開示の先の説明は、当業者が本開示を作成または使用することを可能にするために与えられる。本開示に対する様々な修正が当業者には容易に明らかとなり、本明細書で定義される一般原理は、本開示の範囲から逸脱することなく他の変形形態に適用され得る。本開示を通じて、「例」または「例示的」という用語は、例または事例を示し、記載された例へのいかなる嗜好を示唆するものでも、または必要とするものでもない。したがって、本開示は、本明細書で説明する実施例および設計に限定されるものではなく、本明細書で開示する原理および新規な特徴と一致する最も広い範囲が与えられるべきである。
【符号の説明】
【０１１３】
100  WLAN
105  AP
105-a  AP
105-b  AP
105-c  AP
110  STA
110-a  STA
110-b  STA
110-c  STA
110-d  STA
110-e  STA
110-f  STA
115  通信リンク
120  直接ワイヤレス通信リンク
125  APカバレージエリア
200  ワイヤレス通信サブシステム
300-a  フレーム交換
300-b  フレーム交換
300-c  フレーム交換
300-d  フレーム交換
305  トリガフレーム
305-a  トリガフレーム
305-b  トリガフレーム
305-c  トリガフレーム
310  CTSフレーム
310-a  CTSフレーム
310-b  CTSフレーム
315  MU PPDU
315-a  MU PPDU
315-b  MU PPDU
315-c  MU PPDU
320  ACKフレーム
320-a  ACKフレーム
320-b  ACKフレーム
320-c  ACKフレーム
325  MU-RTSフレーム
330  継続時間
330-b  継続時間
330-c  継続時間
330-d  継続時間
330-e  継続時間
330-f  継続時間
330-g  継続時間
330-h  継続時間
330-i  継続時間
335  CTS-to-Selfフレーム
335-a  CTS-to-Selfフレーム
400-a  MACトリガフレーム
400-b  PHYトリガフレーム
400-c  MU-RTSトリガフレーム
405  フレーム制御フィールド
405-a  フレーム制御フィールド
410  継続時間フィールド
410-a  継続時間フィールド
415  受信機アドレス
415-a  複数RAフィールド
420  フレームチェックシーケンス
420-a  FCSフィールド
425  訓練フィールド
430  信号フィールド
435  リソース割振りインデックス
440  シードインデックス
450  アップリンクチャネルインデックス
455  MU-RTS
500  ワイヤレスデバイス
505  受信機
505-a  受信機
510  MU保護モジュール
510-a  MU保護モジュール
510-b  MU保護モジュール
515  送信機
515-a  送信機
600  ワイヤレスデバイス
605  チャネルモニタ
605-a  チャネルモニタ
610  デバイス識別子
610-a  デバイス識別子
700  ブロック図
705  通信マネージャ
710  リソースアロケータ
715  MU制御ユニット
800  システム
805  プロセッサ
810  MU保護モジュール
815  メモリ
820  ソフトウェア
825  MU通信マネージャ
835  送受信機
840  アンテナ
845  バス
900  システム
905  プロセッサ
910  AP MU保護モジュール
915  メモリ
920  ソフトウェア
925  AP通信モジュール
930  ネットワーク通信モジュール
935  送受信機
940  アンテナ
945  バスシステム
950  コアネットワーク
【図１】
0006612896.tif 000002
【図２】
0006612896.tif 000003
【図３Ａ】
0006612896.tif 000004
【図３Ｂ】
0006612896.tif 000005
【図３Ｃ】
0006612896.tif 000006
【図３Ｄ】
0006612896.tif 000007
【図４Ａ】
0006612896.tif 000008
【図４Ｂ】
0006612896.tif 000009
【図５】
0006612896.tif 000010
【図６】
0006612896.tif 000011
【図７】
0006612896.tif 000012
【図８】
0006612896.tif 000013
【図９】
0006612896.tif 000014
【図１０】
0006612896.tif 000015
【図１１】
0006612896.tif 000016
【図１２】
0006612896.tif 000017
【図１３】
0006612896.tif 000018
【図１４】
0006612896.tif 000019